(57)【要約】【課題】船外機の昇降の速さを自動的に変更することのできる技術を実現する。【解決手段】船外機昇降装置（１）は、ポンプ（４２）と、１又は複数のチルトシリンダ（１４）の第２室と、１又は複数のトリムシリンダ（１２）の第２室とを接続する第１の油路と、前記１又は複数のトリムシリンダの少なくとも何れかの第１室に接続された第２の油路と、前記第２の油路上に設けられた切替弁（６０）とを備えており、端末装置（５００）は、船体状態信号を参照して前記切替弁を制御する端末制御部（５０４）を備えている。【選択図】図４
2019059407.tif 000002
【特許請求の範囲】
【請求項１】
船外機を昇降させる船外機昇降装置を遠隔制御するための端末装置であって、
前記船外機昇降装置は、
１又は複数のチルトシリンダと、
１又は複数のトリムシリンダと、
を備え、
前記各トリムシリンダは、
当該トリムシリンダを第１室と第２室とに仕切るピストンと、
前記ピストンに接続され、当該トリムシリンダの第１室を貫通するロッドとを備え、
前記各チルトシリンダは、
当該チルトシリンダを第１室と第２室とに仕切るピストンと、
前記ピストンに接続され、当該チルトシリンダの第１室を貫通するロッドとを備え、
当該船外機昇降装置は、
油圧源と、
前記油圧源と、前記１又は複数のチルトシリンダの第２室と、前記１又は複数のトリムシリンダの第２室とを接続する第１の油路と、
前記１又は複数のトリムシリンダの少なくとも何れかの第１室に接続された第２の油路と、
前記第２の油路上に設けられた切替弁と、
を備え、
当該端末装置は、
船体状態信号を参照して前記切替弁を制御する制御部を備えていることを特徴とする端末装置。
【請求項２】
前記トリムシリンダは、少なくとも第１トリムシリンダ及び第２トリムシリンダを備え、
前記切替弁は、前記第１トリムシリンダ及び前記第２トリムシリンダの少なくとも何れかに接続されていることを特徴とする、請求項１に記載の端末装置。
【請求項３】
前記切替弁は、前記第１トリムシリンダ及び前記第２トリムシリンダの何れか一方のみに接続されていることを特徴とする、請求項２に記載の端末装置。
【請求項４】
前記トリムシリンダは、少なくとも第１トリムシリンダ及び第２トリムシリンダを備え、
前記切替弁として、
前記第１トリムシリンダの第１室に接続された第１切替弁と、
前記第２トリムシリンダの第１室に接続された第２切替弁と、
を備えていることを特徴とする、請求項１に記載の端末装置。
【請求項５】
前記トリムシリンダは、少なくとも第１トリムシリンダ及び第２トリムシリンダを備え、
前記切替弁は、前記第１トリムシリンダ及び前記第２トリムシリンダに直接接続されていることを特徴とする、請求項１に記載の端末装置。
【請求項６】
前記油圧源に接続されたポンプポートを更に備え、
前記第２の油路は、前記切替弁を介して、前記ポンプポートにおける２つのシャトル室のうち、前記チルトシリンダの第１室に接続されたシャトル室に接続されていることを特徴とする、請求項１から５の何れか１項に記載の端末装置。
【請求項７】
前記第２の油路は、前記切替弁を介して、前記チルトシリンダの第１室に接続されていることを特徴とする、請求項１から５の何れか１項に記載の端末装置。
【請求項８】
前記第２の油路において、前記切替弁と前記トリムシリンダとの間には保護バルブの一端が接続されていることを特徴とする請求項１から７の何れか１項に記載の端末装置。
【請求項９】
前記第２の油路は、前記切替弁を介して貯油タンクに接続されており、
前記第２の油路において、前記切替弁と貯油タンクとの間には保護バルブが設けられていることを特徴とする請求項１から５の何れか１項に記載の端末装置。
【請求項１０】
前記油圧源に接続された第１のポンプポート及び第２のポンプポートを更に備え、
前記第１のポンプポートは、前記チルトシリンダの前記第１室及び前記第２室に対して、それぞれチェック弁を介して接続された第２及び第１のシャトル室を有しており、
前記第２のポンプポートは、前記第１のポンプポートの前記第１のシャトル室に接続されたシャトル室を有しており、
前記第１の油路は、前記第２のポンプポートの前記シャトル室に対してチェック弁を介して接続されていることを特徴とする、請求項１から９の何れか１項に記載の端末装置。
【請求項１１】
船外機を昇降させる船外機昇降装置を遠隔制御するための端末装置であって、
前記船外機昇降装置は、
１又は複数のチルトシリンダと、
１又は複数のトリムシリンダと、
を備え、
前記各トリムシリンダは、
当該トリムシリンダを第１室と第２室とに仕切るピストンと、前記ピストンに接続され、当該トリムシリンダの第１室を貫通するロッドとを備え、
前記各チルトシリンダは、
当該チルトシリンダを第１室と第２室とに仕切るピストンと、前記ピストンに接続され、当該チルトシリンダの第１室を貫通するロッドとを備え、
前記船外機昇降装置は、
油圧源と、
前記油圧源と前記１又は複数のチルトシリンダの第２室とを接続する第１の油路と、
前記第１の油路と前記１又は複数のトリムシリンダの第２室とを接続する第２の油路と、
前記第２の油路上に設けられた切替弁とを備え、
当該端末装置は、
船体状態信号を参照して前記切替弁を制御する制御部を備えていることを特徴とする端末装置。
【請求項１２】
前記制御部は、
前記船体状態信号を参照して、航行状態及び停船状態を判定し、
前記航行状態と判定した場合に、前記切替弁をオープン状態となるように制御し、
前記停船状態と判定した場合に、前記切替弁がクローズ状態となるように制御する
ことを特徴とする、請求項１から１１の何れか１項に記載の端末装置。
【請求項１３】
前記船体状態信号は、前記船外機が備えるエンジンに接続されたジェネレータの出力電圧であり、
前記制御部は、前記ジェネレータの出力電圧が、電圧に関する第１閾値以上である場合に、前記航行状態と判定することを特徴とする請求項１２に記載の端末装置。
【請求項１４】
前記船体状態信号は、前記船外機が備えるエンジンに接続されたジェネレータの出力電圧であり、
前記制御部は、前記ジェネレータの出力電圧が、電圧に関する第２閾値を超える場合に、前記航行状態と判定することを特徴とする請求項１２に記載の端末装置。
【請求項１５】
前記船体状態信号は、前記船外機のエンジン回転数に関連する信号であり、
前記制御部は、前記エンジン回転数が、回転数に関する第１閾値以上である場合に、前記航行状態と判定することを特徴とする、請求項１２に記載の端末装置。
【請求項１６】
前記船体状態信号は、前記船外機のエンジン回転数に関連する信号であり、
前記制御部は、前記エンジン回転数が、回転数に関する第２閾値を超える場合に、前記航行状態と判定することを特徴とする、請求項１２に記載の端末装置。
【請求項１７】
前記船体状態信号は、アナログ信号であり、
前記制御部は、
前記船体状態信号が入力されるベース電極を有する第１のスイッチング素子と
前記第１のスイッチング素子のエミッタ電流に応じた信号が入力されるゲート電極、及び、前記切替弁に接続されたソース電極を有する第２のスイッチング素子とを備えていることを特徴とする請求項１から１６の何れか１項に記載の端末装置。
【請求項１８】
船外機を昇降させる船外機昇降装置と、端末装置とを含む船外機昇降システムであって、
前記船外機昇降装置は、
１又は複数のチルトシリンダと、
１又は複数のトリムシリンダと、
を備え、
前記各トリムシリンダは、
当該トリムシリンダを第１室と第２室とに仕切るピストンと、
前記ピストンに接続され、当該トリムシリンダの第１室を貫通するロッドとを備え、
前記各チルトシリンダは、
当該チルトシリンダを第１室と第２室とに仕切るピストンと、
前記ピストンに接続され、当該チルトシリンダの第１室を貫通するロッドとを備え、
当該船外機昇降装置は、
油圧源と、
前記油圧源と、前記１又は複数のチルトシリンダの第２室と、前記１又は複数のトリムシリンダの第２室とを接続する第１の油路と、
前記１又は複数のトリムシリンダの少なくとも何れかの第１室に接続された第２の油路と、
前記第２の油路上に設けられた切替弁と、
を備え、
当該端末装置は、
船体状態信号を参照して前記切替弁を制御する制御部を備えていることを特徴とする船外機昇降システム。
【請求項１９】
船外機を昇降させる船外機昇降装置と、端末装置とを含む船外機昇降システムであって、
前記船外機昇降装置は、
１又は複数のチルトシリンダと、
１又は複数のトリムシリンダと、
を備え、
前記各トリムシリンダは、
当該トリムシリンダを第１室と第２室とに仕切るピストンと、前記ピストンに接続され、当該トリムシリンダの第１室を貫通するロッドとを備え、
前記各チルトシリンダは、
当該チルトシリンダを第１室と第２室とに仕切るピストンと、前記ピストンに接続され、当該チルトシリンダの第１室を貫通するロッドとを備え、
前記船外機昇降装置は、
油圧源と、
前記油圧源と前記１又は複数のチルトシリンダの第２室とを接続する第１の油路と、
前記第１の油路と前記１又は複数のトリムシリンダの第２室とを接続する第２の油路と、
前記第２の油路上に設けられた切替弁とを備え、
当該端末装置は、
船体状態信号を参照して前記切替弁を制御する制御部を備えていることを特徴とする船外機昇降システム。
【請求項２０】
前記制御部は、
前記船体状態信号を参照して、前記切替弁をオープン状態及びクローズ状態の何れにすべきかを決定する決定部を備え、
前記船外機昇降装置は、
前記決定部による決定結果に応じた制御信号であって、前記切替弁に供給される制御信号を生成する制御信号生成部を備えている請求項１８又は１９に記載の船外機昇降システム。
【請求項２１】
請求項１〜１１の何れか１項に記載の端末装置としてコンピュータを機能させるためのプログラムであって、
前記制御部としてコンピュータを機能させるためのプログラム。
【請求項２２】
請求項２１に記載のプログラムを記録したコンピュータ読み取り可能な記録媒体。
【発明の詳細な説明】
【技術分野】
【０００１】
本発明は、船外機昇降装置を遠隔制御するための端末装置、及び、船外機昇降システムに関する。
【背景技術】
【０００２】
船体の分野において、主として船外機を水面上に上昇させたり水面下に下降させたりするためのチルトシリンダと、主として水面下における船外機の角度を変更するためのトリムシリンダとを有する船外機昇降装置が知られている（例えば、特許文献１及び２）。
【先行技術文献】
【特許文献】
【０００３】
【特許文献１】特公昭５８−０２８１５９号公報
【特許文献２】特開平２−９９４９４号公報
【発明の概要】
【発明が解決しようとする課題】
【０００４】
ところで、船外機昇降装置では、船外機の昇降の速さを自動的に変更できることが好ましい。
【０００５】
本発明は、船外機の昇降の速さを自動的に変更することのできる技術を実現することを目的とする。
【課題を解決するための手段】
【０００６】
かかる目的のもと、本発明の一態様に係る端末装置は、船外機を昇降させる船外機昇降装置を遠隔制御するための端末装置であって、前記船外機昇降装置は、１又は複数のチルトシリンダと、１又は複数のトリムシリンダと、を備え、前記各トリムシリンダは、当該トリムシリンダを第１室と第２室とに仕切るピストンと、前記ピストンに接続され、当該トリムシリンダの第１室を貫通するロッドとを備え、前記各チルトシリンダは、当該チルトシリンダを第１室と第２室とに仕切るピストンと、前記ピストンに接続され、当該チルトシリンダの第１室を貫通するロッドとを備え、当該船外機昇降装置は、油圧源と、前記油圧源と、前記１又は複数のチルトシリンダの第２室と、前記１又は複数のトリムシリンダの第２室とを接続する第１の油路と、前記１又は複数のトリムシリンダの少なくとも何れかの第１室に接続された第２の油路と、前記第２の油路上に設けられた切替弁と、を備え、当該端末装置は、船体状態信号を参照して前記切替弁を制御する制御部を備えている。
【０００７】
また、かかる目的のもと、本発明の一態様に係る端末装置は、船外機を昇降させる船外機昇降装置を遠隔制御するための端末装置であって、前記船外機昇降装置は、１又は複数のチルトシリンダと、１又は複数のトリムシリンダと、を備え、前記各トリムシリンダは、当該トリムシリンダを第１室と第２室とに仕切るピストンと、前記ピストンに接続され、当該トリムシリンダの第１室を貫通するロッドとを備え、前記各チルトシリンダは、当該チルトシリンダを第１室と第２室とに仕切るピストンと、前記ピストンに接続され、当該チルトシリンダの第１室を貫通するロッドとを備え、前記船外機昇降装置は、油圧源と、前記油圧源と前記１又は複数のチルトシリンダの第２室とを接続する第１の油路と、前記第１の油路と前記１又は複数のトリムシリンダの第２室とを接続する第２の油路と、前記第２の油路上に設けられた切替弁とを備え、当該端末装置は、船体状態信号を参照して前記切替弁を制御する制御部を備えている。
【０００８】
また、かかる目的のもと、本発明の一態様に係る船外機昇降システムは、船外機を昇降させる船外機昇降装置と、端末装置とを含む船外機昇降システムであって、前記船外機昇降装置は、１又は複数のチルトシリンダと、１又は複数のトリムシリンダと、を備え、前記各トリムシリンダは、当該トリムシリンダを第１室と第２室とに仕切るピストンと、前記ピストンに接続され、当該トリムシリンダの第１室を貫通するロッドとを備え、前記各チルトシリンダは、当該チルトシリンダを第１室と第２室とに仕切るピストンと、前記ピストンに接続され、当該チルトシリンダの第１室を貫通するロッドとを備え、当該船外機昇降装置は、油圧源と、前記油圧源と、前記１又は複数のチルトシリンダの第２室と、前記１又は複数のトリムシリンダの第２室とを接続する第１の油路と、前記１又は複数のトリムシリンダの少なくとも何れかの第１室に接続された第２の油路と、前記第２の油路上に設けられた切替弁と、を備え、当該端末装置は、船体状態信号を参照して前記切替弁を制御する制御部とを備えている。
【０００９】
また、かかる目的のもと、本発明の一態様に係る船外機昇降システムは、船外機を昇降させる船外機昇降装置と、端末装置とを含む船外機昇降システムであって、前記船外機昇降装置は、１又は複数のチルトシリンダと、１又は複数のトリムシリンダと、を備え、前記各トリムシリンダは、当該トリムシリンダを第１室と第２室とに仕切るピストンと、前記ピストンに接続され、当該トリムシリンダの第１室を貫通するロッドとを備え、前記各チルトシリンダは、当該チルトシリンダを第１室と第２室とに仕切るピストンと、前記ピストンに接続され、当該チルトシリンダの第１室を貫通するロッドとを備え、前記船外機昇降装置は、油圧源と、前記油圧源と前記１又は複数のチルトシリンダの第２室とを接続する第１の油路と、前記第１の油路と前記１又は複数のトリムシリンダの第２室とを接続する第２の油路と、前記第２の油路上に設けられた切替弁とを備え、当該端末装置は、船体状態信号を参照して前記切替弁を制御する制御部を備えている。
【発明の効果】
【００１０】
本発明によれば、船外機の昇降の速さを自動的に変更することができる。
【図面の簡単な説明】
【００１１】
【図１】実施形態１に係る船外機昇降装置の使用例及び船外機の概略的な内部構成を示す図である。
【図２】実施形態１に係る船外機昇降装置の構成の一例を示す正面図である。
【図３】実施形態１に係る船外機昇降装置の側断面図である。
【図４】実施形態１に係る船外機昇降装置の油圧回路周辺の構成を、端末装置の構成と共に示す図である。
【図５】実施形態１に係る端末装置、及び船外機昇降装置の制御部の具体的な構成を示すブロック図である。
【図６】実施形態１に係る端末装置の指示受付部が表示する操作ボタンの例を示す図である。
【図７】実施形態１に係る端末装置の端末制御部の回路構成例を示す回路図である。
【図８】実施形態１に係る端末装置の端末制御部による切替弁の制御の一例を示す図である。
【図９】実施形態２に係る船外機昇降装置の油圧回路周辺の構成を、端末装置の構成と共に示す図である。
【図１０】実施形態３に係る船外機昇降装置の油圧回路周辺の構成を、端末装置の構成と共に示す図である。
【図１１】実施形態４に係る船外機昇降装置の油圧回路周辺の構成を、端末装置の構成と共に示す図である。
【図１２】実施形態５に係る船外機昇降装置の油圧回路周辺の構成を、端末装置の構成と共に示す図である。
【図１３】実施形態６に係る船外機昇降装置の油圧回路周辺の構成を、端末装置の構成と共に示す図である。
【図１４】実施形態７に係る船外機昇降装置の油圧回路周辺の構成を、端末装置の構成と共に示す図である。
【図１５】実施形態８に係る船外機昇降装置の油圧回路周辺の構成を、端末装置の構成と共に示す図である。
【図１６】実施形態９に係る船外機昇降装置の油圧回路周辺の構成を、端末装置の構成と共に示す図である。
【図１７】実施形態１０に係る船外機昇降装置の油圧回路周辺の構成を、端末装置の構成と共に示す図である。
【図１８】実施形態１〜１０に係る船外機のエンジン周辺の構成を示す図である。
【発明を実施するための形態】
【００１２】
〔実施形態１〕
以下、本発明の第１の実施形態に係る船外機昇降システムについて図１〜図８を参照して説明する。本実施形態に係る船外機昇降システムは、船外機昇降装置１と、船外機昇降装置１を遠隔制御する端末装置５００とを備えている。
【００１３】
船外機昇降装置１は、船外機３００を昇降させるための装置である。図１の（ａ）は、船外機昇降装置１の使用例を示す図であり、船体（本体）２００の後部と船外機３００とに取り付けられた船外機昇降装置１を示している。図１の（ａ）における実線は、船外機３００が下降した状態を示し、図１の（ａ）における破線は、船外機３００が上昇した状態を示している。図１の（ｂ）は、船外機３００の内部構成を概略的に示す模式図である。図１の（ｂ）に示すように、船外機３００は、エンジン３０１と、プロペラ３０３と、エンジン３０１からプロペラ３０３に動力を伝達する動力伝達機構３０２とを備えている。ここで、動力伝達機構は、例えば、シャフトやギヤによって構成される。
【００１４】
図２は、船外機昇降装置１の構成の一例を示す正面図であり、図３は、船外機昇降装置１の側断面図である。図２に示すように、船外機昇降装置１は、シリンダユニット１０と、船体２００の後部に取り付けられる１対のスターンブラケット７０と、船外機３００に取り付けられるスイベルブラケット８０とを備えている。
【００１５】
シリンダユニット１０は、一例として、図２に示すように、２本のトリムシリンダ１２、１本のチルトシリンダ１４、モータ１６、タンク１８、上部ジョイント２２、基部２４を備えている。トリムシリンダ１２及びチルトシリンダ１４は、基部２４に対して相対移動不能に設けられている。
【００１６】
なお、シリンダユニット１０が備えるトリムシリンダ１２及びチルトシリンダ１４の数は本実施形態を限定するものではなく、１又は複数のトリムシリンダ１２及び１又は複数のチルトシリンダ１４を備えるシリンダユニット１０も本実施形態に含まれる。また、そのように任意の数のトリムシリンダ１２及びチルトシリンダ１４を有するシリンダユニット１０に対しても以下の説明が成り立つ。
【００１７】
トリムシリンダ１２は、シリンダ１２ａと、シリンダ１２ａ内に摺動可能に設けられたピストン１２ｃ（図４参照）と、ピストン１２ｃに固定されたピストンロッド１２ｂとを備えている。また、チルトシリンダ１４は、シリンダ１４ａと、シリンダ１４ａ内に摺動可能に設けられたピストン１４ｃ（図４参照）と、ピストン１４ｃに固定されたピストンロッド１４ｂとを備えている。
【００１８】
また、図２に示すように、基部２４とスターンブラケット７０には、それぞれ貫通孔が形成されており、これらの貫通孔を貫通するアンダーシャフト２６を介して、基部２４とスターンブラケット７０とが相対回転可能に接続されている。
【００１９】
また、図２に示すように、ピストンロッド１４ｂの先端には、上部ジョイント２２が設けられており、スイベルブラケット８０には、支持部材２８が固定されている。上部ジョイント２２及び支持部材２８には、それぞれ貫通孔が形成されており、こられの貫通孔を貫通するアッパーシャフト２３を介して、上部ジョイント２２とスイベルブラケット８０とが相対回転可能に接続されている。
【００２０】
また、スターンブラケット７０及びスイベルブラケット８０の上部一端にはそれぞれ貫通孔が形成されており、図３に示すように、これらの貫通孔を貫通する支持軸３２によって、スターンブラケット７０とスイベルブラケット８０とが相対回転可能に接続されている。
【００２１】
（トリム域及びチルト域）
チルトシリンダ１４のピストンロッド１４ｂが上昇及び下降することにより、スイベルブラケット８０が上昇及び下降するので、船外機３００が上昇及び下降する。
【００２２】
チルトシリンダ１４のピストンロッド１４ｂの上昇及び下降によって調整される船外機３００の角度領域は、図１の（ａ）に示したトリム域とチルト域とから構成される。チルト域は、トリムシリンダ１２のピストンロッド１２ｂの先端がスイベルブラケット８０に当接不能な角度領域であり、チルト域での船外機３００の角度調整はチルトシリンダ１４のピストンロッド１４ｂによって行われる。
【００２３】
一方、トリム域は、トリムシリンダ１２のピストンロッド１２ｂの先端がスイベルブラケット８０に当接可能な角度領域であり、チルト域での船外機３００の角度調整はトリムシリンダ１２のピストンロッド１２ｂ及びチルトシリンダ１４のピストンロッド１４ｂの双方によって行われ得る。ただし、後述するように、本実施形態では、チルト域においても、船外機３００の角度調整がチルトシリンダ１４のピストンロッド１４ｂのみによって行われることもある。
【００２４】
（船外機昇降装置の油圧回路周辺及び端末装置の構成）
次に、船外機昇降装置１の油圧回路周辺及び端末装置５００の構成について、図４及び図５を参照して説明する。図４は、船外機昇降装置１の油圧回路周辺を、端末装置５００の構成と共に示す図である。図４では、すでに説明した部材と同じ部材には同じ符号を付している。図５は、端末装置５００、及び船外機昇降装置１の制御部１００のより具体的な構成を示すブロック図である。
【００２５】
図４に示すように、船外機昇降装置１は、モータ１６、ポンプ４２、第１の逆止弁４４ａ、第２の逆止弁４４ｂ、アップブローバルブ４６ａ、ダウンブローバルブ４６ｂ、メインバルブ（ポンプボート）４８、マニュアルバルブ５２、サーマルバルブ５４、チルトシリンダ１４、トリムシリンダ１２、タンク１８、フィルタＦ１〜Ｆ２、第１の流路Ｃ１〜第９の流路Ｃ９、制御部１００、及び送受信部４００を備えている。
【００２６】
モータ１６によって駆動される油圧源としてのポンプ４２は、ユーザによる船外機の昇降指示を示す昇降信号ＳＩＧ＿ＵＤに応じて、「正転」「反転」「停止」の何れかの動作を行う。タンク１８には作動油が貯えられている。
【００２７】
なお、一例として、船体２００の操作レバーに、船外機昇降装置１の上昇を指示するためのアップボタン、及び船外機昇降装置１の下降を指示するためのダウンボタンを備える構成とし、これらのボタンを介して入力されたユーザの指示を示す信号を昇降信号ＳＩＧ＿ＵＤとすればよい。
【００２８】
メインバルブ４８は、図４に示すように、スプール４８ａ、第１チェック弁４８ｂ、及び第２チェック弁４８ｃを備えている。メインバルブ４８は、スプール４８ａによって、第１チェック弁４８ｂ側の第１シャトル室４８ｄと、第２チェック弁４８ｃ側の第２シャトル室４８ｅとに仕切られている。
【００２９】
第１の流路Ｃ１は、ポンプ４２と第１シャトル室４８ｄとを接続すると共に、ポンプ４２と第１の逆止弁４４ａとを接続している。また、第１の流路Ｃ１には、アップブローバルブ４６ａが接続されている。第２の流路Ｃ２は、ポンプ４２と第２シャトル室４８ｅとを接続すると共に、ポンプ４２と第２の逆止弁４４ｂとを接続している。また、第２の流路Ｃ２には、ダウンブローバルブ４６ｂが接続されている。
【００３０】
なお、本明明細書に記載の油路構成における「接続」には、他の油圧エレメントを介さずに流路によって直接接続されている場合と、他の油路エレメントを介して間接的に接続されている場合の双方が含まれる。ここで、他の油圧エレメントには、例えば、バルブ（弁）、シリンダ、及びフィルタ等が含まれる。
【００３１】
チルトシリンダ１４は、ピストン１４ｃによって上室１４ｆと下室１４ｇとに仕切られており、チルトシリンダ１４のピストン１４ｃは、図４に示すように、ショックブローバルブ１４ｄ及びリターンバルブ１４ｅを備えている。
【００３２】
なお、本明細書において、「上室」及び「下室」における「上」及び「下」とは、単に互いを区別するための名称であり、当該上室が当該下室よりも鉛直方向上側に位置することを必ずしも意味するものではない。このため、「上室」とは、シリンダにおいてピストンによって仕切られる第１室及び第２室のうち、ピストンに接続されたロッドが貫通する方の室である第１室と表現してもよいし、「下室」とは、シリンダにおいてピストンによって仕切られる第１室及び第２室のうち、ピストンに接続されたロッドが貫通しない方の室である第２室と表現してもよい。
【００３３】
本明細書では、特に混乱がない限り「上室」「下室」との表現も用いるが、上記の点に留意すべきである。
【００３４】
トリムシリンダ１２は、ピストン１２ｃによって上室１２ｆと下室１２ｇとに仕切られている。
【００３５】
第１チェック弁４８ｂは、チルトシリンダ１４の下室１４ｇに、フィルタＦ１及び第３の流路Ｃ３を介して接続されている。一方、第２チェック弁４８ｃは、チルトシリンダ１４の上室１４ｆに、フィルタＦ２及び第４の流路Ｃ４を介して接続されている。また、図４に示すように、第４の流路Ｃ４には、上室給油バルブ５６が接続されている。
【００３６】
第３の流路Ｃ３と第４の流路Ｃ４とを接続する第５の流路Ｃ５にはマニュアルバルブ５２及びサーマルバルブ５４が接続されている。
【００３７】
なお、メインバルブ４８及びフィルタＦ１を介してポンプ４２とチルトシリンダ１４の下室１４ｇとを接続する第１の流路Ｃ１及び第３の流路Ｃ３を、纏めて第１の油路とも呼ぶ。
【００３８】
第６の流路Ｃ６（当該流路も第１の油路とも呼ぶ）は、第３の流路Ｃ３とトリムシリンダ１２の下室１２ｇとを接続する。
【００３９】
第７の流路Ｃ７（第３の油路とも呼ぶ）は、複数のトリムシリンダ１２の上室１２ｆを互いに接続している。第７の流路Ｃ７の存在により、複数のトリムシリンダ１２の上室１２ｆの圧力が互いに均等化される。
【００４０】
第８の流路Ｃ８（第２の油路とも呼ぶ）は、複数のトリムシリンダ１２の上室１２ｆの一つとタンク１８とを接続している。第９の流路Ｃ９は、第１の逆止弁４４ａ及び第２の逆止弁４４とタンク１８とを接続している。
【００４１】
第１の逆止弁４４ａは、トリムシリンダ１２及びチルトシリンダ１４が収縮し切った状態になってもなおポンプ４２が作動油を回収しようとする場合に、タンク１８からポンプ４２に作動油を供給する。
【００４２】
第２の逆止弁４４ｂは、チルトシリンダ１４が伸長する際に、ピストンロッド１４ｂの退出容積分の作動油をタンク１８からポンプ４２に供給し、また、トリムシリンダ１２が伸長する際には、ピストンロッド１２ｂの退出容積分の作動油をタンク１８からポンプ４２に供給する。
【００４３】
アップブローバルブ４６ａは、トリムシリンダ１２及びチルトシリンダ１４が伸長し切った状態になってもなおポンプ４２が作動油を供給する場合に、余剰の作動油をタンク１８に戻す。
【００４４】
ダウンブローバルブ４６ｂは、チルトシリンダ１４が収縮する際に、ピストンロッド１４ｂの進入容積分の作動油をタンク１８に戻し、また、トリムシリンダ１２が収縮する際には、ピストンロッド１２ｂの進入容積分の作動油をタンク１８に戻す。
【００４５】
マニュアルバルブ５２は、手動による開閉が可能であり、船外機昇降装置１のメンテナンス時等においてマニュアルバルブ５２を開状態とすることによって、作動油がチルトシリンダ１４の下室１４ｇからタンク１８に戻される。これにより、チルトシリンダ１４が手動で収縮可能となる。
【００４６】
サーマルバルブ５４は、温度上昇により作動油の体積が増大した場合に、余剰分の作動油をタンク１８に戻す。
【００４７】
（切替弁６０）
第８の流路Ｃ８上に設けられた切替弁６０は、図４に示すように、ソレノイド６２と、
ソレノイド６２によって駆動され、第８の流路Ｃ８を遮断状態又は開放状態とするプランジャ６４とを備えている。ソレノイド６２には、後述する制御部１００から制御信号ＳＩＧ＿ＣＯＮＴが供給され、制御信号ＳＩＧ＿ＣＯＮＴに基づき、ソレノイド６２のＯＮ／ＯＦＦが切り替えられる。
【００４８】
切替弁６０は、ソレノイド６２がＯＦＦの場合にクローズ状態となることによって第８の流路Ｃ８を遮断し、ソレノイド６２がＯＮの場合にオープン状態となることによって第８の流路Ｃ８を開放するノーマリークローズ弁として構成してもよいし、ソレノイドがＯＦＦの場合にオープン状態となることによって第８の流路Ｃ８を開放し、ソレノイドがＯＮの場合にクローズ状態となることによって第８の流路Ｃ８を遮断するノーマリーオープン弁として構成してもよい。
【００４９】
切替弁６０をノーマリーオープン弁として構成した場合、万一、切替弁６０が作動しなくなった場合であっても、第８の流路Ｃ８が開放された状態、すなわち、トリムシリンダ１２の上室１２ｆとタンク１８とが連通した状態で維持されるので、チルトシリンダ１４及びトリムシリンダ１２の双方を用いて船外機３００の角度調整を行うことができる。
【００５０】
一方で、切替弁６０をノーマリークローズ弁として構成した場合、万一、切替弁６０が作動しなくなった場合であっても、第８の流路Ｃ８が遮断された状態、すなわち、トリムシリンダ１２の上室１２ｆとタンク１８とが非連通状態で維持される。このため、トリムシリンダ１２の上室１２ｆから作動油が流出しないので、チルトシリンダ１４のみで船外機３００の角度調整を行ったり、船外機３００を保持し続けたりすることができる。
【００５１】
なお、本実施形態では、プランジャ６４には、第８の流路Ｃ８の遮断状態においてトリムシリンダ１２の上室１２ｆからの作動油の流出を止めるためのバルブ６６が設けられている。
【００５２】
また、上記の説明では、ソレノイド６２がオンオフソレノイドであり、プランジャ６４が第８の流路Ｃ８を遮断状態及び開放状態の何れか一方の状態とする構成を例に挙げたが、これは本実施形態を限定するものではない。ソレノイド６２として比例ソレノイドを採用し、プランジャ６４を遮断状態位置から開放状態位置までの任意の位置に制御可能な構成としてもよい。このような構成とすることにより、第８の流路Ｃ８を通過する作動油の流量をきめ細かく制御することができるので、船外機３００の上昇及び下降をよりきめ細かく制御することができる。
【００５３】
（送受信部及び制御部）
図４及び図５に示すように、船外機昇降装置１は、制御部１００、及び、送受信部４００を備えている。また、図４及び図５に示すように、端末装置５００は、一例として端末送受信部５０２、端末制御部５０４、及び指示受付部５０６を備えている。
【００５４】
送受信部４００には、一例として、イグニッション信号ＳＩＧ＿ＩＧ、船体状態信号ＳＩＧ＿ＩＮ、及び昇降信号ＳＩＧ＿ＵＤが入力され、送受信部４００は、これらの信号の値を示す情報を、端末装置５００の端末送受信部５０２に送信する。
【００５５】
なお、送受信部４００に入力される各種の信号は、船体２００上に構成された有線又は無線ネットワークを介して伝送される。これらの信号は、アナログ信号であってもよいし、デジタル信号であってもよい。アナログ信号が入力される構成においては、送受信部４００は、Ａ−Ｄ変換部を備え、当該アナログ信号をデジタル信号に変換したうえで、端末送受信部５０２に送信する構成とすればよい。
【００５６】
デジタル信号を伝送するための具体的な規格は本実施形態を限定するものではないが、一例として、NMEA(National Marine Electronics Association)によって制定されたNMEA2000（登録商標）が挙げられる。
【００５７】
端末送受信部５０２は、送受信部４００が送信した、イグニッション信号ＳＩＧ＿ＩＧ、船体状態信号ＳＩＧ＿ＩＮ、及び昇降信号ＳＩＧ＿ＵＤの各信号値を示す情報を受信する。端末送受信部５０２は、受信したこれらの信号値を示す情報を、端末制御部５０４に供給する。
【００５８】
端末制御部５０４は、端末送受信部５０２が受信したイグニッション信号ＳＩＧ＿ＩＧ、船体状態信号ＳＩＧ＿ＩＮ、及び昇降信号ＳＩＧ＿ＵＤを参照して、切替弁６０をオープン状態とすべきか、又はクローズ状態とすべきかを判定し、判定結果を示す判定信号ＳＩＧ＿ＤＥＣを生成する。判定信号ＳＩＧ＿ＤＥＣは、端末送受信部５０２を介して、送受信部４００に送信され、送受信部４００は、受信した判定信号を、制御部１００に供給する。
【００５９】
端末制御部５０４は、より具体的には、図５に示すように、信号取得部６０２と演算部６００を備えて構成される。信号取得部６０２は、端末送受信部５０２からイグニッション信号ＳＩＧ＿ＩＧ、船体状態信号ＳＩＧ＿ＩＮ、及び昇降信号ＳＩＧ＿ＵＤの各信号値を示す情報を取得し、取得した情報を演算部６００に供給する。演算部６００は上述の判定処理を行う。なお、端末制御部５０４による具体的な判定処理については、図面を代えて後述するためここでは説明を省略する。
【００６０】
なお、送受信部４００と端末送受信部５０２との間の通信は、一例として無線接続によって実現されるが、これは本実施形態を限定するものではなく、有線接続によって実現する構成としてもよい。
【００６１】
また、無線接続として実現する場合、一例として、ＬＴＥ（Long Term Evolution）などの無線通信規格に沿った無線接続、グローバルなインターネット接続、並びに、無線ＬＡＮ（Local Area Network）やBluetooth（登録商標）等のローカルなネットワーク接続の少なくとも何れか又はそれらの組み合わせによって接続が実現され得る。ただし、これらの接続の態様は本実施形態を限定するものではない。
【００６２】
係留作業やメンテナンス等を行う場合、ユーザが船体２００から離れる場合が生じる。送受信部４００と端末送受信部５０２との間の通信を有線又は無線接続によって実現することにより、ユーザの利便性を向上させることができる。
【００６３】
なお、上述の説明では、送受信部４００がイグニッション信号ＳＩＧ＿ＩＮを取得し、端末装置５００に送信する構成を例に挙げたが、これは本実施形態を限定するものではない。端末制御部５０４における判定処理において、イグニッション信号ＳＩＧ＿ＩＮを参照する必要がない構成では、イグニッション信号ＳＩＧ＿ＩＮを端末装置５００に送信しなくてもよい。
【００６４】
制御部１００は、一例として、図５に示すように、制御信号生成回路７００を備えている。制御信号生成回路７００は、送受信部４００が取得した判定信号ＳＩＧ＿ＤＥＣを参照して、判定信号ＳＩＧ＿ＤＥＣに応じた制御信号ＳＩＧ＿ＣＯＮＴを生成する。より具体的には、送受信部４００が取得した判定信号ＳＩＧ＿ＤＥＣが、切替弁６０をオープン状態とすべきである旨を示している場合、制御信号生成回路７００は、切替弁６０をオープン状態とする制御信号ＳＩＧ＿ＣＯＮＴを生成し、切替弁６０に供給する。一方で、送受信部４００が取得した判定信号ＳＩＧ＿ＤＥＣが、切替弁６０をクローズ状態とすべきである旨を示している場合、制御信号生成回路７００は、切替弁６０をクローズ状態とする制御信号ＳＩＧ＿ＣＯＮＴを生成し、切替弁６０に供給する。
【００６５】
（指示受付部）
図４及び図５に示す例では、端末装置５００は指示受付部５０６を備えている。指示受付部５０６は、船外機昇降装置１に関するユーザからの指示を受け付けるための構成であり、一例として、船外機昇降装置１の上昇を指示するためのアップボタン、及び船外機昇降装置１の下降を指示するためのダウンボタンを備える構成とすることができる。また、図６に示すように、指示受付部５０６が表示部を備え、当該表示部にＧＵＩ（Graphical User Interface）としてのアップボタン（図６における「ＵＰ」）及びダウンボタン（図６における「ＤＯＷＮ」）を表示させ、これらのＧＵＩに対するユーザの入力としてユーザからの指示を受け付ける構成としてもよい。
【００６６】
指示受付部５０６が、船外機昇降装置１の昇降に関するユーザからの指示を受け付けた場合、端末制御部５０４は、端末送受信部５０２から供給される昇降信号ＳＩＧ＿ＵＤに代えて、指示受付部５０６が受け付けた上記ユーザの指示を参照して、切替弁６０をオープン状態とすべきか、又はクローズ状態とすべきかを判定する構成としてもよい。
【００６７】
また、端末装置５００は指示受付部５０６を備える構成の場合、送受信部４００は、昇降信号ＳＩＧ＿ＵＤを端末装置５００に送信しない構成としてもよい。
【００６８】
以下の説明では、特に混乱のない限り、船外機昇降装置１の昇降に関するユーザからの指示を示す信号、及び、上述の昇降信号ＳＩＧ＿ＵＤを、合わせて、昇降信号ＳＩＧ＿ＵＤと表記する。
【００６９】
（演算部６００の構成例）
演算部６００は、集積回路（ＩＣチップ）等に形成された論理回路（ハードウェア）によって実現してもよいし、プロセッサ上でプログラムを実行することによってソフトウェアとして実現してもよい。
【００７０】
図７は、演算部６００を論理回路として実現する場合の構成例を示す回路図である。図７に示すように、本例に係る端末制御部５０４は、第１のコネクタ１０１〜第４のコネクタ１０４、及び、第１のスイッチング素子１２１〜第５のスイッチング素子１２５等を備えて構成される。ここで、第１のスイッチング素子１２１、第３のスイッチング素子１２３、及び第４のスイッチング素子１２４は、例えばトランジスタによって構成されており、第２のスイッチング素子は、例えばＦＥＴ（電界効果トランジスタ）によって構成されている。
【００７１】
信号取得部６０２が端末送受信部５０２から取得したイグニッション信号ＳＩＧ＿ＩＧは、第１のコネクタ１０１を介して、第１のスイッチング素子１２１のコレクタ電極及び第３のスイッチング素子１２３のコレクタ電極、並びに、第２のスイッチング素子１２２のドレイン電極に入力される。
【００７２】
信号取得部６０２が端末送受信部５０２から取得した船体状態信号ＳＩＧ＿ＩＮは、第２のコネクタ１０２及びダイオード１１１を介して、第１のスイッチング素子１２１のベース電極に入力される。一方、第３のスイッチング素子１２３のベース電極には第１のスイッチング素子１２１のエミッタ電流がダイオード１１２を介して入力される。
【００７３】
また、信号取得部６０２が端末送受信部５０２または指示受付部５０６から取得した昇降信号ＳＩＧ＿ＵＤは、第３のコネクタ１０３及びダイオード１１３を介して第４のスイッチング素子１２４のベース電極に入力される。一方、第５のスイッチング素子１２５のベース電極には、第３のコネクタ１０３及びダイオード１１４を介して昇降信号ＳＩＧ＿ＵＤが入力される。
【００７４】
第２のスイッチング素子１２２のゲート電極には、第１のスイッチング素子１２１のエミッタ電流に応じた信号が、第３のスイッチング素子１２３及び第４のスイッチング素子を介して、又は、第３のスイッチング素子１２３及び第５のスイッチング素子を介して入力される。より具体的には、第２のスイッチング素子１２２のゲート電極には、ダイオード１１５を介して、第４のスイッチング素子１２４のエミッタ電流及び第５のスイッチング素子１２５のエミッタ電流が入力される。
【００７５】
第２のスイッチング素子１２２のソース電極からは、判定信号（切替弁制御信号）ＳＩＧ＿ＤＥＣが出力される。判定信号（切替弁制御信号）ＳＩＧ＿ＤＥＣは、第４のコネクタ１０４を介して端末送受信部５０２に供給され、送受信部４００に送信される。
【００７６】
（船体状態信号ＳＩＧ＿ＩＮの具体例）
上述した船体状態信号ＳＩＧ＿ＩＮの一例として、船外機３００が備えるエンジン３０１の状態を示すエンジン信号が挙げられる。ここで、エンジン信号とは、例えば、エンジン３０１の回転数を示す信号であり、一例としてエンジン３０１から取得することができる。なお、エンジンの回転数が０であればエンジンはオフであり、エンジンの回転数がゼロでなければエンジンはオンであるので、エンジンの回転数を示す信号はエンジンのオンオフを示す信号でもある。
【００７７】
また、船体状態信号ＳＩＧ＿ＩＮの他の一例として、船外機３００の備える動力伝達機構３０２が、動力伝達可能な状態、すなわちインギヤの状態にあるのか否かを示すギヤ信号が挙げられる。ギヤ信号は、一例として動力伝達機構３０２から取得することができる。
【００７８】
船体状態信号ＳＩＧ＿ＩＮをギヤ信号とすることにより、以下に見るように、船外機昇降装置１は、船外機３００が備える動力伝達機構３０２の状態に応じて船外機の昇降の速さを自動的に変更することができる。
なお、上述のエンジン信号、及びインギヤ信号は、船外機３００の状態を示す状態信号の一例である。
【００７９】
（船外機昇降装置１の動作例）
（上昇動作）
昇降信号ＳＩＧ＿ＵＤが「上昇」を示している場合、ポンプ４２が正転し、作動油がポンプ４２からメインバルブ４８の第１シャトル室４８ｄに圧送される。これにより、第１チェック弁４８ｂが開くと共に、スプール４８ａが第１チェック弁４８ｂ側に移動し、第２チェック弁４８ｃが開く。その結果、作動油がチルトシリンダ１４の下室１４ｇに供給されると共に、チルトシリンダ１４の上室１４ｆから作動油が回収される。
【００８０】
ここで、切替弁６０がオープン状態であれば、作動油はトリムシリンダ１２の下室１２ｇにも供給されるので、チルトシリンダ１４のピストンロッド１４ｂとトリムシリンダ１２のピストンロッド１２ｂとが共に上昇する。
【００８１】
一方、切替弁６０がクローズ状態であれば、作動油はトリムシリンダ１２の下室１２ｇには供給されないので、チルトシリンダ１４のピストンロッド１４ｂは上昇するが、トリムシリンダ１２のピストンロッド１２ｂは上昇しない。
【００８２】
切替弁６０がクローズ状態の場合、作動油がトリムシリンダ１２の下室１２ｇに供給されない。ポンプ４２によって供給される単位時間当たりの作動油量は、切替弁６０がオープン状態であっても、クローズ状態であっても大きな変化はない。このため、チルトシリンダ１４のピストンロッド１４ｂは、切替弁６０がオープン状態である場合に比べて、速く上昇する。
【００８３】
（下降動作）
昇降信号ＳＩＧ＿ＵＤが「下降」を示している場合、ポンプ４２が逆転し、作動油がポンプ４２からメインバルブ４８の第２シャトル室４８ｅに圧送される。これにより、第２チェック弁４８ｃが開くと共に、スプール４８ａが第２チェック弁４８ｃ側に移動し、第１チェック弁４８ｂが開く。その結果、作動油がチルトシリンダ１４の上室１４ｆに供給されると共に、チルトシリンダ１４の下室１４ｇから作動油が回収される。
【００８４】
ここで、切替弁６０がオープン状態であれば、作動油はトリムシリンダ１２の下室１２ｇからも回収されるので、チルトシリンダ１４のピストンロッド１４ｂとトリムシリンダ１２のピストンロッド１２ｂとが共に下降する。
【００８５】
一方、切替弁６０がクローズ状態であれば、作動油はトリムシリンダ１２の下室１２ｇからは回収されないので、チルトシリンダ１４のピストンロッド１４ｂは下降するが、トリムシリンダ１２のピストンロッド１２ｂは下降しない。
【００８６】
切替弁６０がクローズ状態の場合、作動油がトリムシリンダ１２の下室１２ｇからは回収されないので、チルトシリンダ１４のピストンロッド１４ｂは、切替弁６０がオープン状態である場合に比べて、速く下降する。
【００８７】
（保持状態）
昇降信号ＳＩＧ＿ＵＤが「上昇」及び「下降」の何れも示していない場合、ポンプ４２が停止する。ポンプ４２が停止すると、船外機昇降装置１の油圧回路内の動作油の移動が収束した状態において、船外機３００が保持される。なお、本明細書では、昇降信号ＳＩＧ＿ＵＤが「上昇」及び「下降」の何れも示していない場合を、便宜的に、昇降信号ＳＩＧ＿ＵＤが「保持」を示している場合と表現することもある。
【００８８】
（切替弁６０の制御例）
以下では、図８を参照して、制御部１００及び端末制御部５０４による切替弁６０の制御例について説明する。
【００８９】
図８は、船体状態信号ＳＩＧ＿ＩＮが示す船外機３００の状態、昇降信号ＳＩＧ＿ＵＤが示すユーザによる船外機の昇降指示、並びに、制御部１００及び端末制御部５０４によって制御された切替弁６０の状態を例示する表である。
【００９０】
図６に示す例では、船体状態信号ＳＩＧ＿ＩＮが「エンジンオン」又は「インギヤ」を示している場合、昇降信号ＳＩＧ＿ＵＤが「上昇」「下降」「保持」の何れを示しているのかに関わらず、端末制御部５０４は、切替弁６０をオープン状態とすべき旨の判定信号ＳＩＧ＿ＤＥＣを生成する。この判定信号ＳＩＧ＿ＤＥＣを取得した制御部１００は、制御信号ＳＩＧ＿ＣＯＮＴを供給することによって切替弁６０をオープン状態とする。
【００９１】
一例として、船体状態信号ＳＩＧ＿ＩＮは、船外機３００が備えるエンジン３０１のエンジン回転部に関連する信号であり、制御部１００は、エンジン回転数が回転数に関する第１閾値以上である場合に、航行状態と判定し、切替弁６０をオープン状態とする。ここで、回転数に関する第１閾値は、適宜設定された正の値を有している。また、制御部１００は、エンジン回転数が回転数に関する第２閾値を超える場合に、航行状態と判定し、切替弁６０をオープン状態とする構成でもよい。ここで、回転数に関する第２閾値は、適宜設定された０以上の値を有している。
【００９２】
このように、制御部１００は、船体状態信号ＳＩＧ＿ＩＮを参照して、航行状態及び停船状態を判定し、航行状態と判定した場合に、切替弁６０をオープン状態となるように制御する。
【００９３】
したがって、エンジン３０１がオンであるか又は動力伝達機構３０２がインギヤの状態では、トリム域において、チルトシリンダ１４のピストンロッド１４ｂとトリムシリンダ１２のピストンロッド１２ｂとが共に上昇及び下降することによって船外機３００の角度調整が行われる。また、船外機３００の保持状態において、外力によりトリムシリンダ１２の下室１２ｇの内圧が上昇した場合であっても、当該内圧は、チルトシリンダの下室１４ｇに分散される。
【００９４】
一方で、図８に示す例では、船体状態信号ＳＩＧ＿ＩＮが「エンジンオフ」又は「インギヤでない」を示し、昇降信号ＳＩＧ＿ＵＤが「上昇」又は「保持」を示す場合に、端末制御部５０４は切替弁６０をクローズ状態とすべき旨の判定信号ＳＩＧ＿ＤＥＣを生成する。この判定信号ＳＩＧ＿ＤＥＣを取得した制御部１００は、制御信号ＳＩＧ＿ＣＯＮＴを供給することによって切替弁６０をクローズ状態とする。
【００９５】
このように、制御部１００は、船体状態信号ＳＩＧ＿ＩＮを参照して、航行状態及び停船状態を判定し、停船状態と判定した場合に、切替弁６０をクローズ状態となるように制御する。
【００９６】
したがって、エンジン３０１がオフであるか又は動力伝達機構３０２がインギヤでない状態において、船外機３００を上昇させる場合、トリム域においても、チルトシリンダ１４のピストンロッド１４ｂのみが上昇する。このため、エンジン３０１がオフであるか又は動力伝達機構３０２がインギヤでない状態では、エンジン３０１がオンであるか又は動力伝達機構３０２がインギヤである状態に比べて、船外機３００を早く上昇させることができる。
【００９７】
また、船外機３００の保持状態において、作動油がチルトシリンダ１４の下室１４ｇからトリムシリンダ１２の下室１２ｇに供給されることがないので、チルトシリンダ１４のピストンロッド１４ｂによって船外機３００をしっかりと保持することができる。
【００９８】
また、図８に示す例では、船体状態信号ＳＩＧ＿ＩＮが「エンジンオフ」又は「インギヤでない」を示し、昇降信号ＳＩＧ＿ＵＤが「下降」を示す場合に、端末制御部５０４は切替弁６０をオープン状態とすべき旨の判定信号ＳＩＧ＿ＤＥＣを生成する。この判定信号ＳＩＧ＿ＤＥＣを取得した制御部１００は、制御信号ＳＩＧ＿ＣＯＮＴを供給することによって切替弁６０をオープン状態とする。
【００９９】
したがって、エンジン３０１がオフであるか又は動力伝達機構３０２がインギヤでない状態において、船外機３００を下降させる場合、作動油がチルトシリンダ１４の下室１４ｇからトリムシリンダ１２の下室１２ｇに供給され、トリムシリンダ１２のピストンロッド１２ｂが、スイベルブラケット８０に当接するまで上昇する。
【０１００】
なお、切替弁６０の制御は、上記の例に限定されるものではなく、ユーザの使い勝手や外力に対する船外機昇降装置１の適応性等を鑑みて、適宜設定することができる。
【０１０１】
例えば、船体状態信号ＳＩＧ＿ＩＮが「エンジンオン」又は「インギヤ」を示し、昇降信号ＳＩＧ＿ＵＤが「保持」を示す場合に、端末制御部５０４は切替弁６０をクローズ状態とすべきと判定してもよい。
【０１０２】
船外機３００の保持状態において、通常、トリムシリンダ１２の上室１２ｆから作動油が流出することも、トリムシリンダ１２の上室１２ｆに作動油が流入することもない。換言すれば、船外機３００の保持状態においては、通常、トリムシリンダ１２の上室１２ｆには余分な圧力が印加されることはない。このような状況では、切替弁６０をオープン状態としてもクローズ状態としても好適な動作が得られる。
【０１０３】
また、例えば、船体状態信号ＳＩＧ＿ＩＮが「エンジンオフ」又は「インギヤでない」を示し、昇降信号ＳＩＧ＿ＵＤが「下降」を示す場合に、端末制御部５０４は切替弁６０をクローズ状態とすべきと判定してもよい。
【０１０４】
この場合、エンジン３０１がオフであるか又は動力伝達機構３０２がインギヤでない状態において、船外機３００を下降させる場合、作動油がチルトシリンダ１４の下室１４ｇからトリムシリンダ１２の下室１２ｇに供給されないので、エンジン３０１がオンであるか又は動力伝達機構３０２がインギヤである状態に比べて、船外機３００を早く下降させることができる。
【０１０５】
なお、船体状態信号ＳＩＧ＿ＩＮが「エンジンオフ」又は「インギヤでない」を示し、昇降信号ＳＩＧ＿ＵＤが「下降」を示す場合に、切替弁６０をオープン状態とするのかクローズ状態とするのかの選択は、端末制御部５０４又は制御部１００によって行われる構成としてもよい。このような構成の場合、端末制御部５０４又は制御部１００はユーザからの指示を示すユーザ指示信号を参照してオープン状態及びクローズ状態の何れかを選択してもよいし、他の信号を参照してオープン状態及びクローズ状態の何れかを選択してもよい。
【０１０６】
＜切替弁６０を第８の流路上に配置することの効果＞
以上説明したように、本実施形態では、切替弁６０を、トリムシリンダ１２の上室（第１室）１２ｆに接続された第８の流路Ｃ８上に配置した。一方で、比較例としては、トリムシリンダ１２の下室１２ｇに接続された第６の流路Ｃ６上に切替弁６０を設けるという構成も考えられる。
【０１０７】
しかしながら、一般に、シリンダの下室には上室に比べて高い油圧が印加され、その油圧の値は一例として２５ＭＰａ程度に達する。このため、トリムシリンダ１２の下室１２ｇに接続された第６の流路Ｃ６上に切替弁６０を設ける場合、切替弁６０に対して高い耐
圧性及びシール性が要求されるので、切替弁６０の大型化及び重量化を招来してしまう。
【０１０８】
また、第６の流路Ｃ６上に切替弁６０を設ける場合、切替弁６０としてノーマリークローズ弁を用いた場合、ピストンロッド１２ｂに外力が印加された場合、切替弁６０に過度な圧力がかかる可能性があるので、当該過度な圧力を逃がすための保護バルブを別途設ける必要がある。
【０１０９】
一方で、本実施形態のように、切替弁６０を、トリムシリンダ１２の上室（第１室）１２ｆに接続された第８の流路Ｃ８上に設ける構成では、切替弁６０に対して上記のような高い耐圧性及びシール性が要求されることはない。また、切替弁６０を第８の流路Ｃ８上に設ける構成では、上述のような保護バルブを設けることは必須ではない。
【０１１０】
したがって、本実施形態のように、切替弁６０を、トリムシリンダ１２の上室（第１室）１２ｆに接続された第８の流路Ｃ８上に設ける構成は、トリムシリンダ１２の下室１２ｇに接続された第６の流路Ｃ６上に切替弁６０を設ける構成に比べて、船外機昇降装置の小型化や軽量化を図ることができるというメリットがある。また、製造コストの抑制及び信頼度の向上というメリットがある。
【０１１１】
＜実施形態１の付記事項＞
一部上述したが、本明細書に記載の発明には、以下の構成も含まれる。すなわち、昇降信号ＳＩＧ＿ＵＤが、指示受付部５０６が受け付けたユーザの指示に応じて生成され、当該昇降信号ＳＩＧ＿ＵＤが端末送受信部５０２及び送受信部４００を介して制御部１００に供給される。そして、制御部１００は、昇降信号ＳＩＧ＿ＵＤに応じて、モータ１６を駆動する。また、そのような構成では、船外機昇降装置１が切替弁６０を備えない構成であってもよい。このような構成であっても、ユーザは、端末装置５００を用いて、船外機昇降装置１の昇降を制御することができるので、ユーザの利便性が向上する。
【０１１２】
〔実施形態２〕
以下では、実施形態２に係る船外機昇降システムが備える船外機昇降装置１ａの構成について、図９を参照して説明する。図９は、本実施形態に係る船外機昇降装置１ａの油圧回路を制御部１００と共に示す図である。図９では、すでに説明した部材と同じ部材には同じ符号を付している。
【０１１３】
図９に示すように、本実施形態に係る船外機昇降装置１ａでは、２つのトリムシリンダ１２−１及び１２−２を備え、これらのトリムシリンダの上室には、それぞれ切替弁６０−１及び６０−２が接続されている。換言すれば、本実施形態に係る船外機昇降装置１ａは、第１トリムシリンダ１２−１の上室（第１室）１２ｆに接続された第１切替弁６０−１と、第２トリムシリンダ１２−２の上室（第１室）１２ｆに接続された第２切替弁６０−２とを備えている。
【０１１４】
ここで、第１トリムシリンダ１２−１及び第２トリムシリンダ１２−２は、実施形態１において説明したトリムシリンダ１２と同様の構成であり、第１切替弁６０−１及び第２切替弁６０−２は、実施形態１において説明した切替弁６０と同様の構成である。
【０１１５】
また、図９に示すように、本実施形態に係る船外機昇降装置１ａは、第２トリムシリンダ１２−２の上室１２ｆに接続された第１０の流路Ｃ１０を備えている。第１切替弁６０−１は、第１トリムシリンダ１２−１の上室１２ｆに接続された第８の流路Ｃ８上に設けられており、第２切替弁６０−２は、第１０の流路Ｃ１０上に設けられている。
【０１１６】
また、本実施形態に係る船外機昇降装置１ａは、第１トリムシリンダ１２−１の上室１２ｆと、第２トリムシリンダ１２−２の上室１２ｆとを接続する油路を有していない。
【０１１７】
また、上記のような構成とすることにより、第１トリムシリンダ１２−１の上室１２ｆからの作動油の流出と、第２トリムシリンダ１２−２の上室１２ｆからの作動油の流出とを、第１切替弁６０−１と第２切替弁６０−２とを用いて個別に制御することができるので、船外機の昇降に関し、よりきめ細かい制御を行うことができる。
【０１１８】
なお、上記の説明では、船外機昇降装置１ａが２つのトリムシリンダ１２を備える場合を例に挙げたが、本実施形態はこれに限定されるものではない。例えば、３つ以上のトリムシリンダ１２を備え、これら３つ以上のトリムシリンダ１２の上室１２ｆにそれぞれ接続された切替弁６０を有する構成も本実施形態に含まれる。
【０１１９】
〔実施形態３〕
以下では、実施形態３に係る船外機昇降システムが備える船外機昇降装置１ｂの構成について、図１０を参照して説明する。図１０は、本実施形態に係る船外機昇降装置１ｂの油圧回路を制御部１００と共に示す図である。図１０では、すでに説明した部材と同じ部材には同じ符号を付している。
【０１２０】
図１０に示すように、本実施形態に係る船外機昇降装置１ｂは、第１トリムシリンダ１２−１及び第２トリムシリンダ１２−２を備え、第１トリムシリンダ１２−１及び第２トリムシリンダ１２−２のそれぞれの上室（第１室）１２ｆに、切替弁６０が直接接続されている。より具体的に言えば、本実施形態に係る船外機昇降装置１ｂは、第７の流路Ｃ７に接続された第１１の流路Ｃ１１を備えており、第１トリムシリンダ１２−１の上室１２ｆと、第２トリムシリンダ１２−２の上室１２ｆと、切替弁６０とが、第７の流路Ｃ７及び第１１の流路Ｃ１１とを介して直接接続されている。
【０１２１】
ここで、第１トリムシリンダ１２−１及び第２トリムシリンダ１２−２は、実施形態１において説明したトリムシリンダ１２と同様の構成であり、第１切替弁６０−１及び第２切替弁６０−２は、実施形態１において説明した切替弁６０と同様の構成である。
【０１２２】
上記のような構成とすることによっても、実施形態１において説明した船外機昇降装置と同様の効果を奏することができる。
【０１２３】
〔実施形態４〕
以下では、実施形態４に係る船外機昇降システムが備える船外機昇降装置１ｃの構成について、図１１を参照して説明する。図１１は、本実施形態に係る船外機昇降装置１ｃの油圧回路を制御部１００と共に示す図である。図１１では、すでに説明した部材と同じ部材には同じ符号を付している。
【０１２４】
図１１に示すように、本実施形態に係る船外機昇降装置１ｃは、第１トリムシリンダ１２−１及び第２トリムシリンダ１２−２を備え、第１トリムシリンダ１２−１及び第２トリムシリンダ１２−２の一方である第１トリムシリンダ１２−１の上室１２ｆに切替弁６０が接続されている。より具体的に言えば、第１トリムシリンダ１２−１の上室１２ｆには、一端がタンク１８に接続された第８の流路Ｃ８が接続され、当該第８の流路Ｃ８上に切替弁６０が設けられている。一方で、本実施形態に係る船外機昇降装置１ｃは、一端がタンク１８に接続された第１０の流路Ｃ１０を備えており、第２トリムシリンダ１２−２の上室１２ｆには、第１０の流路Ｃ１０の他端が接続されているが、当該第１０の流路Ｃ１０上には切替弁６０が設けられていない。
【０１２５】
ここで、第１トリムシリンダ１２−１及び第２トリムシリンダ１２−２は、実施形態１において説明したトリムシリンダ１２と同様の構成である。
【０１２６】
また、本実施形態に係る船外機昇降装置１ｃは、第１トリムシリンダ１２−１の上室１２ｆと第２トリムシリンダ１２−２の上室１２ｆとを接続する流路を備えていない。これにより、本実施形態に係る船外機昇降装置１ｃでは、第１トリムシリンダ１２−１のみを切替弁６０を用いて制御することができる。
【０１２７】
上記の構成によれば、切替弁６０をクローズ状態とすることにより、第１トリムシリンダ１２−１の上室１２ｆから作動油が流出したり、当該上室１２ｆに作動油が流入することがないので、チルトシリンダ１４及び第２トリムシリンダ１２−２のみを用いて船外機３００の昇降を行うことが可能となる。
【０１２８】
このように切替弁６０をクローズ状態とすることにより、切替弁６０をオープン状態とした場合に比べて、船外機３００の昇降を速く行うことができる。
【０１２９】
なお、上記の説明では、第１トリムシリンダ１２−１及び第２トリムシリンダ１２−２の一方である第１トリムシリンダ１２−１の上室１２ｆのみに切替弁６０が接続されている構成を例に挙げたが、本実施形態はこれに限定されるものではない。例えば、Ｎ本（Ｎは３以上）のトリムシリンダ１２を備え、これらＮ本のトリムシリンダのうち、少なくとも何れかの上室１２ｆに切替弁６０が接続されている構成も本実施形態に含まれる。
【０１３０】
〔実施形態５〕
以下では、実施形態５に係る船外機昇降システムが備える船外機昇降装置１ｄの構成について、図１２を参照して説明する。図１２は、本実施形態に係る船外機昇降装置１ｄの油圧回路を制御部１００と共に示す図である。図１２では、すでに説明した部材と同じ部材には同じ符号を付している。
【０１３１】
図１２に示すように、本実施形態に係る船外機昇降装置１ｄでは、第８の流路Ｃ８が、切替弁６０を介して、メインバルブ４８における第１シャトル室４８ｄ及び第２シャトル室４８ｅのうち、第２シャトル室４８ｅに接続されている。ここで、第２シャトル室４８ｅは、第２チェック弁４８ｃ及びフィルタＦ２を介して、第４の流路Ｃ４によりチルトシリンダ１４の上室（第１室）に接続されている。したがって、本実施形態では、第８の流路Ｃ８は、切替弁６０を介して、メインバルブ４８における第１シャトル室４８ｄ及び第２シャトル室４８ｅのうち、チルトシリンダ１４の第１室に接続された第２シャトル室４８ｅに接続されている。
【０１３２】
このような構成によっても、実施形態１において説明した船外機昇降装置と同様の効果を奏することができる。また、第８の流路Ｃ８をタンク１８まで引き回す必要がないので船外機昇降装置１ｄにおける各構成要素の配置如何によっては油路構成を簡素化することができる。また、後述する実施形態８のように第８の流路Ｃ８を第４の流路Ｃ４に接続する場合に比べて、チルトシリンダ１４の上室１４ｆの油圧の変動の影響を受けにくくすることができる。
【０１３３】
〔実施形態６〕
以下では、実施形態６に係る船外機昇降システムが備える船外機昇降装置１ｅの構成について、図１３を参照して説明する。図１３は、本実施形態に係る船外機昇降装置１ｅの油圧回路を制御部１００と共に示す図である。図１３では、すでに説明した部材と同じ部材には同じ符号を付している。
【０１３４】
図１３に示すように、本実施形態に係る船外機昇降装置１ｅでは、第８の流路Ｃ８が、切替弁６０を介して、第４の流路Ｃ４に接続されている。ここで、第４の流路Ｃ４は、チルトシリンダ１４の上室（第１室）に接続されている。しがたって、本実施形態では、第８の流路Ｃ８は、切替弁６０を介してチルトシリンダ１４の上室（第１室）に接続されている。
【０１３５】
このような構成によっても、実施形態１において説明した船外機昇降装置と同様の効果を奏することができる。また、第８の流路Ｃ８をタンク１８まで引き回す必要がないので船外機昇降装置１ｄにおける各構成要素の配置如何によっては油路構成を簡素化することができる。また、メインバルブ４８に第８の流路Ｃ８を接続する実施形態７に比べて、加工コストを低減することができる。
【０１３６】
〔実施形態７〕
以下では、実施形態７に係る船外機昇降システムが備える船外機昇降装置１ｆの構成について、図１４を参照して説明する。図１４は、本実施形態に係る船外機昇降装置１ｆの油圧回路を制御部１００と共に示す図である。図１４では、すでに説明した部材と同じ部材には同じ符号を付している。
【０１３７】
図１４に示すように、本実施形態に係る船外機昇降装置１ｆは、第８の流路Ｃ８に接続された第１２の流路Ｃ１２を備えている。また、本実施形態に係る船外機昇降装置１ｆでは、第８の流路Ｃ８における切替弁６０とトリムシリンダ１２との間には、第１２の流路Ｃ１２を介して、保護バルブ７１の一端が接続されている。また、保護バルブ７１の他端は、タンク１８に接続されている。
【０１３８】
本実施形態に係る船外機昇降装置１ｆは、トリムシリンダ１２の上室１２ｆの油圧が過度に上昇した場合であっても、保護バルブ７１を介して過度な油圧が解放されるので、切替弁６０に過度な油圧が印加されることを抑制しつつ、実施形態１と同様の効果を奏することができる。
【０１３９】
なお、本実施形態に係る船外機昇降装置が備える保護バルブ７１は、図１４に示す油路構成に限定して適用されるものではない。例えば、図９〜図１３、及び後述する図１５〜図１７に示す各船外機昇降装置においても同様に、第８の流路Ｃ８における切替弁６０とトリムシリンダ１２（１２−１）との間に、第１２の流路Ｃ１２を介して、保護バルブ７１の一端が接続される構成とすることができる。
【０１４０】
〔実施形態８〕
以下では、実施形態８に係る船外機昇降システムが備える船外機昇降装置１ｇの構成について、図１５を参照して説明する。図１５は、本実施形態に係る船外機昇降装置１ｇの油圧回路を制御部１００と共に示す図である。図１５では、すでに説明した部材と同じ部材には同じ符号を付している。
【０１４１】
図１５に示すように、本実施形態に係る船外機昇降装置１ｇでは、第８の流路Ｃ８は、切替弁６０を介してタンク１８に接続されており、第８の流路Ｃ８において、切替弁６０とタンク１８との間には、保護バルブ（保持バルブ）７２が設けられている。
【０１４２】
本実施形態に係る船外機昇降装置１ｇにおける上記の構成は、切替弁６０をノーマリーオープン弁として構成する場合に好適である。第８の流路Ｃ８において、切替弁６０とタンク１８との間に保護バルブ７２が設けられているので、万一、切替弁６０が作動しなくなった場合であっても、トリムシリンダ１２の上室１２ｆへの作動油の流入が抑制される。このため、船外機３００が意図せずに下降してしまうことを抑制することができる。
【０１４３】
なお、本実施形態に係る船外機昇降装置が備える保護バルブ７２は、図１５に示す油路構成に限定して適用されるものではない。例えば、図９〜図１１、図１４、及び後述する図１６〜図１７に示す各船外機昇降装置においても同様に、第８の流路Ｃ８において、切替弁６０とタンク１８との間に、保護バルブ（保持バルブ）７２が設ける構成をすることができる。
【０１４４】
〔実施形態９〕
以下では、実施形態９に係る船外機昇降システムが備える船外機昇降装置１ｈの構成について、図１６を参照して説明する。図１６は、本実施形態に係る船外機昇降装置１ｈの油圧回路を制御部１００と共に示す図である。図１６では、すでに説明した部材と同じ部材には同じ符号を付している。
【０１４５】
なお、本実施形態に係る船外機昇降装置１ｈは、実施形態１において説明した制御部１００に代えて、実施形態２に係る制御部１００ａを備える構成としてもよいし、実施形態３に係る制御部１００ｂを備える構成としてもよい。
【０１４６】
図１６に示すように、本実施形態に係る船外機昇降装置１ｈは、ポンプ（油圧源）４２に接続されたメインバルブ（第１のポンプポート）４８に加え、ポンプ４２に接続された第２のメインバルブ（第２のポンプポート）４９を備えている。また、本実施形態に係る船外機昇降装置１ｈは、ポンプ４２と第２のメインバルブ４９とを接続する第１３の流路Ｃ１３及び第１４の流路Ｃ１４を備えている。
【０１４７】
第２のメインバルブ４９は、図１６に示すように、スプール４９ａ、及びチェック弁４９ｂを備えている。第２のメインバルブ４９は、スプール４９ａによって、チェック弁４９ｂ側の第１シャトル室４９ｄと、スプール４９ａから見てチェック弁４９ｂとは反対側の第２シャトル室４９ｅとに仕切られている。
【０１４８】
第２のメインバルブ４９における第１のシャトル室４９ｄは、第１３の流路Ｃ１３及び第１の流路Ｃ１を介してメインバルブ４８における第１のシャトル室４８ｄにも接続されており、第２のメインバルブ４９における第２のシャトル室４９ｅは、第１４の流路Ｃ１４及び第２の流路を介してメインバルブ４８における第２のシャトル室４８ｅにも接続さされている。
【０１４９】
また、図１６に示すように、本実施形態に係る船外機昇降装置１ｈでは、トリムシリンダ１２の下室１２ｇに接続された第６の流路Ｃ６は、第２のメインバルブ４９におけるチェック弁４９ｂに接続されている。換言すれば、第６の流路Ｃ６は、チェック弁４９を介して、第２のメインバルブ４９における第１のシャトル室４９ｄに接続されている。
【０１５０】
また、図１６に示すように、本実施形態に係る船外機昇降装置１ｈでは、第６の流路Ｃ６は、マニュアルバルブ５２にも接続されている。また、図１６に示すように、第６の流路Ｃ６には、保護バルブ８２接続されており、当該第６の流路Ｃ６は、当該保護バルブ８２を介してタンク１８に接続されている。
【０１５１】
上記のように構成された船外機昇降装置１ｈは以下のように動作する。
【０１５２】
（上昇動作）
ポンプ４２が正転すると、作動油がポンプ４２からメインバルブ４８の第１シャトル室４８ｄ、及び第２のメインバルブ４９の第１シャトル室４９ｄに圧送される。これにより、メインバルブ４８の第１チェック弁４８ｂが開くと共に、スプール４８ａが第１チェック弁４８ｂ側に移動し、第２チェック弁４８ｃが開く。また、第２メインバルブ４９のチェック弁４９ｂが開く。その結果、メインバルブ４８から作動油がチルトシリンダ１４の下室１４ｇに供給されると共に、チルトシリンダ１４の上室１４ｆから作動油が回収される。また、第２のメインバルブ４９から作動油がトリムシリンダ１２の下室１２ｇに供給される。
【０１５３】
ここで、切替弁６０がオープン状態であれば、上記実施形態と同様に、作動油はトリムシリンダ１２の下室１２ｇにも供給されるので、チルトシリンダ１４のピストンロッド１４ｂとトリムシリンダ１２のピストンロッド１２ｂとが共に上昇する。
【０１５４】
一方、切替弁６０がクローズ状態であれば、上記実施形態と同様に、作動油はトリムシリンダ１２の下室１２ｇには供給されないので、チルトシリンダ１４のピストンロッド１４ｂは上昇するが、トリムシリンダ１２のピストンロッド１２ｂは上昇しない。
【０１５５】
切替弁６０がクローズ状態の場合、作動油がトリムシリンダ１２の下室１２ｇに供給されない。ポンプ４２によって供給される単位時間当たりの作動油量は、切替弁６０がオープン状態であっても、クローズ状態であっても大きな変化はない。このため、上記実施形態と同様に、チルトシリンダ１４のピストンロッド１４ｂは、切替弁６０がオープン状態である場合に比べて、速く上昇する。
【０１５６】
（下降動作）
ポンプ４２が逆転すると、作動油がポンプ４２からメインバルブ４８の第２シャトル室４８ｅ、及び第２のメインバルブ４９の第２シャトル室４９ｅに圧送される。これにより、第２チェック弁４８ｃが開くと共に、スプール４８ａが第２チェック弁４８ｃ側に移動し、第１チェック弁４８ｂが開く。また、第２のメインバルブ４９のスプール４９ａがチェック弁４９ｂ側に移動し、チェック弁４９ｂが開く。その結果、作動油がチルトシリンダ１４の上室１４ｆに供給されると共に、チルトシリンダ１４の下室１４ｇから作動油が回収される。また、トリムシリンダ１２の下室１２ｇから作動油が回収される。
【０１５７】
ここで、切替弁６０がオープン状態であれば、上記実施形態と同様に、作動油はトリムシリンダ１２の下室１２ｇからも回収されるので、チルトシリンダ１４のピストンロッド１４ｂとトリムシリンダ１２のピストンロッド１２ｂとが共に下降する。
【０１５８】
一方、切替弁６０がクローズ状態であれば、上記実施形態と同様に、作動油はトリムシリンダ１２の下室１２ｇからは回収されないので、チルトシリンダ１４のピストンロッド１４ｂは下降するが、トリムシリンダ１２のピストンロッド１２ｂは下降しない。
【０１５９】
切替弁６０がクローズ状態の場合、作動油がトリムシリンダ１２の下室１２ｇからは回収されないので、上記実施形態と同様に、チルトシリンダ１４のピストンロッド１４ｂは、切替弁６０がオープン状態である場合に比べて、速く下降する。
【０１６０】
なお、本実施形態に係る船外機昇降装置１ｈが備える第２のメインバルブ４９及び第６の流路Ｃ６の接続態様は、図１６に示す油路構成に限定して適用されるものではない。例えば、図９〜図１５に示した各船外機昇降装置においても同様に、第２のメインバルブ４９を備える構成とし、第６の流路Ｃ６の接続態様を図１６と同様に構成することができる。
【０１６１】
〔実施形態１０〕
以下では、本発明の第１０の実施形態に係る船外機昇降システムが備える船外機昇降システムについて図１７を参照して説明する。本実施形態に係る船外機昇降システムは、船外機昇降装置１ｉと、船外機昇降装置１を遠隔制御する端末装置５００とを備えている。
【０１６２】
本実施形態に係る船外機昇降装置１ｉは、実施形態１に係る船外機昇降装置１と油路構成が異なる。船外機昇降装置１ｉのその他の構成は船外機昇降装置１と同様であるので説明を省略する。また、本実施形態に係る端末装置５００は、実施形態１に係る端末装置５００と同様であるので説明を省略する。
【０１６３】
図１７は、本実施形態に係る船外機昇降装置１ｉの油圧回路周辺を、端末装置５００の構成と共に示す図である。
【０１６４】
図１７に示すように、船外機昇降装置１ｉは、モータ１６、ポンプ４２、第１の逆止弁４４ａ、第２の逆止弁４４ｂ、アップブローバルブ４６ａ、ダウンブローバルブ４６ｂ、メインバルブ４８、マニュアルバルブ５２、サーマルバルブ５４、チルトシリンダ１４、トリムシリンダ１２、タンク１８、フィルタＦ１〜Ｆ３、第１の流路Ｃ１〜第７の流路Ｃ７、及び制御部１００を備えている。
【０１６５】
モータ１６によって駆動される油圧源としてのポンプ４２は、ユーザによる船外機の昇降指示を示す昇降信号ＳＩＧ＿ＵＤに応じて、「正転」「反転」「停止」の何れかの動作を行う。タンク１８には作動油が貯えられている。
【０１６６】
メインバルブ４８は、図１７に示すように、スプール４８ａ、第１チェック弁４８ｂ、及び第２チェック弁４８ｃを備えている。メインバルブ４８は、スプール４８ａによって、第１チェック弁４８ｂ側の第１シャトル室４８ｄと、第２チェック弁４８ｃ側の第２シャトル室４８ｅとに仕切られている。
【０１６７】
第１の流路Ｃ１は、ポンプ４２と第１シャトル室４８ｄとを接続すると共に、ポンプ４２と第１の逆止弁４４ａとを接続している。また、第１の流路Ｃ１には、アップブローバルブ４６ａが接続されている。第２の流路Ｃ２は、ポンプ４２と第２シャトル室４８ｅとを接続すると共に、ポンプ４２と第２の逆止弁４４ｂとを接続している。また、第２の流路Ｃ２には、ダウンブローバルブ４６ｂが接続されている。
チルトシリンダ１４は、ピストン１４ｃによって上室１４ｆと下室１４ｇとに仕切られており、チルトシリンダ１４のピストン１４ｃは、図１７に示すように、ショックブローバルブ１４ｄ及びリターンバルブ１４ｅを備えている。
【０１６８】
トリムシリンダ１２は、ピストン１２ｃによって上室１２ｆと下室１２ｇとに仕切られている。
【０１６９】
第１チェック弁４８ｂは、チルトシリンダ１４の下室１４ｇに、フィルタＦ１及び第３の流路Ｃ３を介して接続されている。一方、第２チェック弁４８ｃは、チルトシリンダ１４の上室１４ｆに、フィルタＦ２及び第４の流路Ｃ４を介して接続されている。また、図１７に示すように、第４の流路Ｃ４には、上室給油バルブ５６が接続されている。
【０１７０】
第３の流路Ｃ３と第４の流路Ｃ４とを接続する第５の流路Ｃ５にはマニュアルバルブ５２及びサーマルバルブ５４が接続されている。
【０１７１】
なお、メインバルブ４８及びフィルタＦ１を介してポンプ４２とチルトシリンダ１４の下室１４ｇとを接続する第１の流路Ｃ１及び第３の流路Ｃ３を、纏めて第１の油路とも呼ぶ。
【０１７２】
第６の流路Ｃ６（第２の油路とも呼ぶ）は、第３の流路Ｃ３とトリムシリンダ１２の下室１２ｇとを接続する。また、第６の流路Ｃ６上には、切替弁６０が配置されている。
【０１７３】
第７の流路Ｃ７は、第１の逆止弁４４ａ、第２の逆止弁４４ｂ、及びトリムシリンダ１２の上室１２ｆを互いに接続しており、フィルタＦ３を介してタンク１８に接続されている。
【０１７４】
第１の逆止弁４４ａは、トリムシリンダ１２及びチルトシリンダ１４が収縮し切った状態になってもなおポンプ４２が作動油を回収しようとする場合に、タンク１８からポンプ４２に作動油を供給する。
【０１７５】
第２の逆止弁４４ｂは、チルトシリンダ１４が伸長する際に、ピストンロッド１４ｂの退出容積分の作動油をタンク１８からポンプ４２に供給し、また、トリムシリンダ１２が伸長する際には、ピストンロッド１２ｂの退出容積分の作動油をタンク１８からポンプ４２に供給する。
【０１７６】
アップブローバルブ４６ａは、トリムシリンダ１２及びチルトシリンダ１４が伸長し切った状態になってもなおポンプ４２が作動油を供給する場合に、余剰の作動油をタンク１８に戻す。
【０１７７】
ダウンブローバルブ４６ｂは、チルトシリンダ１４が収縮する際に、ピストンロッド１４ｂの進入容積分の作動油をタンク１８に戻し、また、トリムシリンダ１２が収縮する際には、ピストンロッド１２ｂの進入容積分の作動油をタンク１８に戻す。
【０１７８】
マニュアルバルブ５２は、手動による開閉が可能であり、船外機昇降装置１のメンテナンス時等においてマニュアルバルブ５２を開状態とすることによって、作動油がチルトシリンダ１４の下室１４ｇからタンク１８に戻される。これにより、チルトシリンダ１４が手動で収縮可能となる。
【０１７９】
サーマルバルブ５４は、温度上昇により作動油の体積が増大した場合に、余剰分の作動油をタンク１８に戻す。
【０１８０】
（切替弁６０）
第６の流路Ｃ６上に設けられた切替弁６０は、図１７に示すように、ソレノイド６２とソレノイド６２によって駆動され、第６の流路Ｃ６を遮断状態又は開放状態とするプランジャ６４を備えている。ソレノイド６２には、後述する制御部１００から制御信号ＳＩＧ＿ＣＯＮＴが供給され、制御信号ＳＩＧ＿ＣＯＮＴに基づき、ソレノイド６２のＯＮ／ＯＦＦが切り替えられる。
【０１８１】
切替弁６０は、ソレノイド６２がＯＦＦの場合にクローズ状態となることによって第６の流路Ｃ６を遮断し、ソレノイド６２がＯＮの場合にオープン状態となることによって第６の流路Ｃ６を開放するノーマリークローズ弁として構成してもよいし、ソレノイドがＯＦＦの場合にオープン状態となることによって第６の流路Ｃ６を開放し、ソレノイドがＯＮの場合にクローズ状態となることによって第６の流路Ｃ６を遮断するノーマリーオープン弁として構成してもよい。
【０１８２】
切替弁６０をノーマリーオープン弁として構成した場合、万一、切替弁６０が作動しなくなった場合であっても、第６の流路Ｃ６が開放された状態、すなわち、トリムシリンダ１２の下室１２ｇとチルトシリンダ１４の下室１４ｇとが連通した状態で維持されるので、チルトシリンダ１４及びトリムシリンダ１２の双方を用いて船外機３００の角度調整を行うことができる。
【０１８３】
一方で、切替弁６０をノーマリークローズ弁として構成した場合、万一、切替弁６０が作動しなくなった場合であっても、第６の流路Ｃ６が遮断された状態、すなわち、トリムシリンダ１２の下室１２ｇとチルトシリンダ１４の下室１４ｇとが非連通状態で維持される。このため、チルトシリンダ１４の下室１４ｇから作動油が流出しないので、チルトシリンダ１４のみで船外機３００の角度調整を行ったり、船外機３００を保持し続けたりすることができる。
【０１８４】
なお、本実施形態でも、プランジャ６４には、第６の流路Ｃ６の遮断状態においてトリムシリンダ１２の下室１２ｇにおける油圧の過度な上昇を防止するためのトリム下室保護バルブ６６が設けられている。
【０１８５】
上記のような船外機昇降装置１ｉ及び端末装置５００によっても、船外機の昇降の速さを自動的に変更することができる。
【０１８６】
以下では、実施形態１０として、実施形態１〜１０において説明した船体状態信号ＳＩＧ＿ＩＮの他の具体例について説明する。船体状態信号ＳＩＧ＿ＩＮは、実施形態１及び２において説明した具体例に代えて、又は、実施形態１〜１０において説明した具体例に加えて、後述する他の具体例の１又は複数を含む構成とすることができる。
【０１８７】
船体状態信号ＳＩＧ＿ＩＮに含まれ得る信号は、
（Ａ）船外機３００から取得可能な船外機性能信号
（Ｂ）船体（本体）２００から取得可能な船体（本体）性能信号
（Ｃ）端末装置５００単体でも取得可能な信号
に分類される。ただし、信号の種類によって、（Ａ）〜（Ｃ）の何れか複数に重複して分類される信号もある。
【０１８８】
船外機３００から取得可能な船外機性能信号、及び、当該船外機性能信号を参照した端末制御部５０４（以下単に制御部とも記載する）による制御例は以下の通りである。
【０１８９】
（Ａ−１）イグニッション信号
イグニッション信号は、船外機３００のイグニッションのオンオフを示す信号である。
【０１９０】
制御部は、例えば、イグニッションオンである場合に、図８における「エンジンオン又はインギヤ」の状態の制御と同様の制御を行い、イグニッションオフである場合に、図８における「エンジンオフ又はインギヤでない」の状態の制御と同様の制御を行う構成とすればよい。
【０１９１】
（Ａ−２）チルト／トリム制御信号
チルト／トリム制御信号は船外機３００のチルト及び／又はトリムを制御するための信号である。
【０１９２】
制御部は、チルト／トリム制御信号に応じて、切替弁６０を切り替える。
【０１９３】
（Ａ−３）エンジンニュートラル信号
エンジンニュートラル信号は、船外機３００のエンジンがニュートラルであるか否かを示す信号である。
【０１９４】
制御部は、例えば、エンジンがニュートラルでない場合に、図８における「エンジンオン又はインギヤ」の状態の制御と同様の制御を行い、エンジンがニュートラルである場合に、図８における「エンジンオフ又はインギヤでない」の状態の制御と同様の制御を行う構成とすればよい。
【０１９５】
（Ａ−４）トリム角度信号
トリム角度信号は、船外機３００のトリムの角度を示す信号である。
【０１９６】
制御部は、例えば、船外機３００のトリムの角度が所定の値よりも小さい場合に、図８における「エンジンオン又はインギヤ」の状態の制御と同様の制御を行い、船外機３００のトリムの角度が所定の値以上である場合に、図８における「エンジンオフ又はインギヤでない」の状態の制御と同様の制御を行う構成とすればよい。
【０１９７】
（Ａ−５）エンジン水温信号
エンジン水温信号は、船外機３００のエンジンの水温を示す信号である。
【０１９８】
制御部は、例えば、エンジンの水温が所定の値以上である場合に、図８における「エンジンオン又はインギヤ」の状態の制御と同様の制御を行い、エンジンの水温が所定の値よりも小さい場合に、図８における「エンジンオフ又はインギヤでない」の状態の制御と同様の制御を行う構成とすればよい。
【０１９９】
（Ａ−６）エンジン油温信号
エンジン水温信号は、船外機３００のエンジンの油温を示す信号である。
【０２００】
制御部は、例えば、エンジンの油温が所定の値以上である場合に、図８における「エンジンオン又はインギヤ」の状態の制御と同様の制御を行い、エンジンの油温が所定の値よりも小さい場合に、図８における「エンジンオフ又はインギヤでない」の状態の制御と同様の制御を行う構成とすればよい。
【０２０１】
（Ａ−７）エンジン油圧信号
エンジン油圧信号は、船外機３００のエンジンの油圧を示す信号である。
【０２０２】
制御部は、例えば、エンジンの油圧が所定の値以上である場合に、図８における「エンジンオン又はインギヤ」の状態の制御と同様の制御を行い、エンジンの油温が所定の値よりも小さい場合に、図８における「エンジンオフ又はインギヤでない」の状態の制御と同様の制御を行う構成とすればよい。
【０２０３】
（Ａ−８）水位信号
水位信号は、船外機３００における水面の水位を示す信号である。
【０２０４】
制御部は、水位信号に応じて、切替弁６０を切り替える。制御部は、例えば、水位信号の示す水位が所定の値以上である場合に、図８における「エンジンオン又はインギヤ」の状態の制御と同様の制御を行い、水位信号の示す水位が所定の値より小さい場合に、図８における「エンジンオフ又はインギヤでない」の状態の制御と同様の制御を行う構成とすればよい。
【０２０５】
（Ａ−９）スロットル開度信号
スロットル開度信号は、船外機３００のエンジンのスロットルの開度を示す信号である。
【０２０６】
制御部は、例えば、スロットルの開度が所定の値以上である場合に、図８における「エンジンオン又はインギヤ」の状態の制御と同様の制御を行い、スロットルの開度が所定の値より小さい場合に、図８における「エンジンオフ又はインギヤでない」の状態の制御と同様の制御を行う構成とすればよい。
【０２０７】
（Ａ−１０）船速信号（水流信号）
船速信号は、船速を示す信号である。船速は水流の速さを参照して特定されるので、船速信号は、水流信号と呼んでもよい。
【０２０８】
制御部は、船速が所定の値以上である場合に、図８における「エンジンオン又はインギヤ」の状態の制御と同様の制御を行い、船速が所定の値より小さい場合に、図８における「エンジンオフ又はインギヤでない」の状態の制御と同様の制御を行う構成とすればよい。
【０２０９】
（Ａ−１１）バッテリー電圧信号
バッテリー電圧信号はバッテリーの電圧を示す信号である。
【０２１０】
制御部は、バッテリーの電圧に応じて、切替弁６０を切り替える。制御部は、例えば、バッテリーの電圧が所定の値以上である場合に、図８における「エンジンオン又はインギヤ」の状態の制御と同様の制御を行い、バッテリーの電圧が所定の値より小さい場合に、図８における「エンジンオフ又はインギヤでない」の状態の制御と同様の制御を行う構成とすればよい。
【０２１１】
（Ａ−１２）大気圧信号
大気圧信号は、大気圧を示す信号である。制御部は、大気圧に応じて、切替弁６０を切り替える。
【０２１２】
（Ａ−１３）ジェネレータ出力電圧
上述した実施形態１〜１０及び本実施形態に係る船外機３００は、当該船外機３００が備えるエンジン３０１に接続されたジェネレータを備えている。
【０２１３】
図１８は、船外機３００のエンジン３０１周辺の構成を示すブロック図である。図１８に示すように、船外機３００は、エンジン３０１、エンジン３０１からプロペラ３０３に動力を伝達する動力伝達機構３０２、エンジン３０１により駆動されるジェネレータ（発電機）３１０、及びメインバッテリー３１１を備えている。また、一例として船外機３００は、メインバッテリー３１１に加え、予備バッテリーも搭載可能に構成されている。
【０２１４】
図１７に示すように、ジェネレータ３１０からは、メインバッテリー３１０ａへの導線３１０ａに加え、予備バッテリーへの導線３１０ｂが引き出されている。当該導線３１０ｂは制御部１００、１００ａ、１００ｂに接続され、当該導線３１０ｂの電位は、制御部によりジェネレータの出力電圧として参照される。
【０２１５】
本例に係る制御部は、船体状態信号ＳＩＧ＿ＩＮとして、ジェネレータの出力電圧を参照し、当該ジェネレータの出力電圧が、電圧に関する第１閾値以上である場合に、航行状態と判定し、図６における「エンジンオン又はインギヤ」の状態の制御と同様の制御を行う。ここで、電圧に関する上記第１閾値は、例えば、適宜設定された正の値を有する。
【０２１６】
また、制御部は、船体状態信号ＳＩＧ＿ＩＮとして、ジェネレータの出力電圧を参照し、当該ジェネレータの出力電圧が、電圧に関する第２閾値を超える場合に、航行状態と判定し、図８における「エンジンオン又はインギヤ」の状態の制御と同様の制御を行う構成としてもよい。ここで、電圧に関する上記第２閾値は、例えば、適宜設定された０以上の値を有する。
【０２１７】
なお、以上例示した信号のうち、（Ａ−１）〜（Ａ−１３）は、船外機３００の状態を示す状態信号と捉えることもできる。
【０２１８】
続いて、船体２００から取得可能な船体（本体）性能信号、及び、当該船体（本体）性能信号を参照した端末制御部５０４（以下単に制御部とも記載する）による制御例は以下の通りである。
【０２１９】
（Ｂ−１）衝撃信号
衝撃信号は、船体２００が受ける衝撃を示す信号である。
【０２２０】
制御部は、衝撃信号に応じて切替弁６０を切り替える。より具体的には、制御部は、船体２００が受ける衝撃、又は衝撃信号自体の有無に応じて、切替弁６０を切り替える。制御部は、例えば、衝撃が所定の値以上である場合に、図８における「エンジンオン又はインギヤ」の状態の制御と同様の制御を行い、衝撃が所定の値より小さい場合、または、信号が無い場合に、図８における「エンジンオフ又はインギヤでない」の状態の制御と同様の制御を行う構成とすればよい。
【０２２１】
（Ｂ−２）方位信号
方位信号は、船体２００の進行方向を示す信号である。制御部は、方位信号に応じて、切替弁６０を切り替える。
【０２２２】
（Ｂ−３）ソナー信号
ソナー信号は、船体２００が備えるソナーから供給される信号である。
【０２２３】
制御部は、ソナー信号に応じて、切替弁６０を切り替える。より具体的には、制御部は、ソナー信号が示す障害物の有無、又は、ソナー信号自体の有無に応じて、切替弁６０を切り替える。制御部は、例えば、障害物がある場合に、図８における「エンジンオン又はインギヤ」の状態の制御と同様の制御を行い、障害物がない場合、または、信号が無い場合に、図８における「エンジンオフ又はインギヤでない」の状態の制御と同様の制御を行う構成とすればよい。
【０２２４】
（Ｂ−４）ＧＰＳ信号
ＧＰＳ信号は、船体２００が備えるＧＰＳ（Global Positioning System）装置から供給される信号である。なお、ＧＰＳ装置は船体の上または近辺にあっても良い。
【０２２５】
制御部は、ＧＰＳ信号が示す船速が所定の値以上である場合に、図８における「エンジンオン又はインギヤ」の状態の制御と同様の制御を行い、ＧＰＳ信号が示す船速が所定の値より小さい場合に、図８における「エンジンオフ又はインギヤでない」の状態の制御と同様の制御を行う構成とすればよい。
【０２２６】
（Ｂ−５）トランサム振動信号
トランサム振動信号は、船体２００が備えるトランサムの振動を示す信号である。
【０２２７】
制御部は、トランサム振動信号に応じて、切替弁６０を切り替える。より具体的には、制御部は、トランサム振動信号の示す振動、又は、トランサム振動信号自体の有無に応じて、切替弁６０を切り替える。制御部は、例えば、トランサムの振動が所定の値以上である場合に、図８における「エンジンオン又はインギヤ」の状態の制御と同様の制御を行い、トランサムの振動が所定の値より小さい場合、または、信号が無い場合に、図８における「エンジンオフ又はインギヤでない」の状態の制御と同様の制御を行う構成とすればよい。
【０２２８】
（Ｂ−６）水温信号
水温信号は、船体２００の周囲の水温を示す信号である。制御部は、水温信号に応じて、切替弁６０を切り替える。
【０２２９】
（Ｂ−７）振動信号
振動信号は、船体２００の振動を示す信号である。
【０２３０】
制御部は、振動信号に応じて、切替弁６０を切り替える。より具体的には、制御部は、振動信号の示す振動、又は振動信号自体の有無に応じて切替弁６０を切り替える。制御部は、例えば、振動信号の示す振動が所定の値以上である場合に、図８における「エンジンオン又はインギヤ」の状態の制御と同様の制御を行い、振動信号の示す振動が所定の値より小さい場合、または、信号が無い場合に、図８における「エンジンオフ又はインギヤでない」の状態の制御と同様の制御を行う構成とすればよい。
【０２３１】
（Ｂ−８）ＩＰ画像信号
ＩＰ画像信号は、船体２００の周辺の状況を示す画像信号である。
【０２３２】
制御部は、ＩＰ画像信号に応じて、切替弁６０を切り替える。より具体的には、制御部は、ＩＰ画像信号の示す障害物の有無、または、ＩＰ画像信号自体の有無に応じて切替弁６０を切り替える。制御部は、例えば、障害物がある場合に、図８における「エンジンオン又はインギヤ」の状態の制御と同様の制御を行い、障害物がない場合、または、信号が無い場合に、図８における「エンジンオフ又はインギヤでない」の状態の制御と同様の制御を行う構成とすればよい。
【０２３３】
（Ｂ−９）レーダー信号
レーダー信号は、船体２００が備えるレーダーから供給される信号である。
【０２３４】
制御部は、レーダー信号に応じて、切替弁６０を切り替える。より具体的には、制御部は、レーダー信号が示の障害物の有無、または、レーダー信号自体の有無に応じて切替弁６０を切り替える。制御部は、例えば、障害物がある場合に、図８における「エンジンオン又はインギヤ」の状態の制御と同様の制御を行い、障害物がない場合、または、信号が無い場合に、図８における「エンジンオフ又はインギヤでない」の状態の制御と同様の制御を行う構成とすればよい。
【０２３５】
（Ｂ−１０）音声信号
音声信号は、操船者（ユーザ）の音声を示す信号である。
【０２３６】
制御部は、音声信号に応じて、切替弁６０を切り替える。制御部は、例えば、音声信号に含まれる音声指示を参照して、図８の制御と同様の制御を行う構成とすればよい。
【０２３７】
なお、以上例示した信号のうち、（Ｂ−１）〜（Ｂ−９）は、船体（本体）２００の状態を示す状態信号と捉えることもできる。
【０２３８】
続いて、端末装置５００単体でも取得可能な信号、及びそのような信号を参照した端末制御部５０４（以下単に制御部とも記載する）による制御例は以下の通りである。
【０２３９】
なお、船体状態信号ＳＩＧ＿ＩＮを、端末装置５００単体で取得可能な構成では、船外機昇降装置１の備える送受信部４００は、船体状態信号ＳＩＧ＿ＩＮを、端末装置５００に送信する必要はない。また、上述したようにイグニッション信号ＳＩＧ＿ＩＧは必須ではなく、また、昇降信号ＳＩＧ＿ＵＤは端末装置５００の指示受付部５０６から取得することができる。このような構成では、端末装置５００は、送受信部４００から何らの信号を取得することなく、端末装置５００単体で取得可能な情報を用いて、切替弁６０を制御することができる。
【０２４０】
（Ｃ−１）ＧＰＳによる端末装置の位置情報
端末装置５００を、ＧＰＳ（Global Positioning System）信号を取得可能な構成とし、当該ＧＰＳ信号を参照して特定した当該端末装置５００の位置を示す位置情報を、船体状態信号ＳＩＧ＿ＩＮとして用いてもよい。
【０２４１】
制御部は、例えば、上記位置情報が、端末装置５００が動いていることを示している場合に、図８における「エンジンオン又はインギヤ」の状態の制御と同様の制御を行い、位置情報が、端末装置５００が動いていないことを示している場合に、図８における「エンジンオフ又はインギヤでない」の状態の制御と同様の制御を行う構成とすればよい。
【０２４２】
（Ｃ−２）アクセスポイントとの通信により特定された端末装置の位置情報
端末装置５００を、複数のアクセスポイントと通信可能な構成とし、当該複数のアクセスポイントとの通信によって特定された位置情報を、船体状態信号ＳＩＧ＿ＩＮとして用いてもよい。ここで、上記アクセスポイントには、ＬＴＥ通信を行う場合の基地局や、Ethernet（登録商標）接続を行う場合のアクセスポイントが含まれる。
【０２４３】
制御部は、例えば、上記位置情報が、端末装置５００が動いていることを示している場合に、図８における「エンジンオン又はインギヤ」の状態の制御と同様の制御を行い、上記位置情報が、端末装置５００が動いていないことを示している場合に、図８における「エンジンオフ又はインギヤでない」の状態の制御と同様の制御を行う構成とすればよい。
【０２４４】
なお、端末装置５００単体で取得可能な信号は、上記（Ｃ−１）及び（Ｃ−２）に限られるものではない。端末装置５００は、上述した（Ａ−１）〜（Ａ−１２）、及び（Ｂ−１）〜（Ｂ−１０）の少なくとも何れかを取得可能に構成することができる。一例として、（Ａ−１２）大気圧信号、（Ｂ−２）方位信号、（Ｂ−８）ＩＰ画像信号（又は単に画像信号）、（Ｂ−１０）音声信号は、大気圧センサ、方位センサ、カメラ、及びマイクを備えた端末装置５００であれば容易に取得することができる。
【０２４５】
〔ソフトウェアによる実現例〕
制御部１００、及び端末制御部５０４は、集積回路（ＩＣチップ）等に形成された論理回路（ハードウェア）によって実現してもよいし、ＣＰＵ（Central Processing Unit）を用いてソフトウェアによって実現してもよい。
【０２４６】
後者の場合、制御部１００及び端末制御部５０４は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２４７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０２４８】
１、１ａ、１ｂ、１ｃ、１ｄ、１ｅ、１ｆ、１ｇ、１ｈ  船外機昇降装置
１２、１２−１、１２−２  トリムシリンダ
１４  チルトシリンダ
４２  ポンプ（油圧源）
６０、６０−１、６０−２  切替弁
１００  制御部
１２１  第１のスイッチング素子
１２２  第２のスイッチング素子
２００  船体（本体）
３００  船外機
３０１  エンジン
３０２  動力伝達機構
３０３  プロペラ
３１０  ジェネレータ
４００  送受信部
５００  端末装置
５０２  端末送受信部
５０４  端末制御部（制御部）
５０６  指示受付部
Ｃ１  第１の流路（第１の油路）
Ｃ２  第２の流路
Ｃ３  第３の流路（第１の油路）
Ｃ４  第４の流路
Ｃ５  第５の流路
Ｃ６  第６の流路（第１の油路）
Ｃ７  第７の流路（第３の油路）
Ｃ８  第８の流路（第２の油路）
Ｃ９  第９の流路
Ｃ１０  第１０の流路
Ｃ１１  第１１の流路
Ｃ１２  第１２の流路
Ｃ１３  第１３の流路
Ｃ１４  第１４の流路
【図１】
2019059407.tif 000003
【図２】
2019059407.tif 000004
【図３】
2019059407.tif 000005
【図４】
2019059407.tif 000006
【図５】
2019059407.tif 000007
【図６】
2019059407.tif 000008
【図７】
2019059407.tif 000009
【図８】
2019059407.tif 000010
【図９】
2019059407.tif 000011
【図１０】
2019059407.tif 000012
【図１１】
2019059407.tif 000013
【図１２】
2019059407.tif 000014
【図１３】
2019059407.tif 000015
【図１４】
2019059407.tif 000016
【図１５】
2019059407.tif 000017
【図１６】
2019059407.tif 000018
【図１７】
2019059407.tif 000019
【図１８】
2019059407.tif 000020
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
船外機を昇降させる船外機昇降装置を遠隔制御するための端末装置であって、
前記船外機昇降装置は、
１又は複数のチルトシリンダと、
１又は複数のトリムシリンダと、
を備え、
前記各トリムシリンダは、
当該トリムシリンダを第１室と第２室とに仕切るピストンと、
前記ピストンに接続され、当該トリムシリンダの第１室を貫通するロッドとを備え、
前記各チルトシリンダは、
当該チルトシリンダを第１室と第２室とに仕切るピストンと、
前記ピストンに接続され、当該チルトシリンダの第１室を貫通するロッドとを備え、
当該船外機昇降装置は、
油圧源と、
前記油圧源と、前記１又は複数のチルトシリンダの第２室と、前記１又は複数のトリムシリンダの第２室とを接続する第１の油路と、
前記１又は複数のトリムシリンダの少なくとも何れかの第１室に接続された第２の油路と、
前記第２の油路上に設けられた切替弁と、
を備え、
当該端末装置は、
船体状態信号を参照して前記切替弁を制御する制御部を備え、
前記制御部は、
前記船体状態信号を参照して、航行状態及び停船状態を判定し、
前記航行状態と判定した場合に、前記切替弁をオープン状態となるように制御し、
前記停船状態と判定した場合に、前記切替弁がクローズ状態となるように制御する
ことを特徴とする端末装置。
【請求項２】
前記トリムシリンダは、少なくとも第１トリムシリンダ及び第２トリムシリンダを備え、
前記切替弁は、前記第１トリムシリンダ及び前記第２トリムシリンダの少なくとも何れかに接続されていることを特徴とする、請求項１に記載の端末装置。
【請求項３】
前記切替弁は、前記第１トリムシリンダ及び前記第２トリムシリンダの何れか一方のみに接続されていることを特徴とする、請求項２に記載の端末装置。
【請求項４】
前記トリムシリンダは、少なくとも第１トリムシリンダ及び第２トリムシリンダを備え、
前記切替弁として、
前記第１トリムシリンダの第１室に接続された第１切替弁と、
前記第２トリムシリンダの第１室に接続された第２切替弁と、
を備えていることを特徴とする、請求項１に記載の端末装置。
【請求項５】
前記トリムシリンダは、少なくとも第１トリムシリンダ及び第２トリムシリンダを備え、
前記切替弁は、前記第１トリムシリンダ及び前記第２トリムシリンダに直接接続されていることを特徴とする、請求項１に記載の端末装置。
【請求項６】
前記油圧源に接続されたポンプポートを更に備え、
前記第２の油路は、前記切替弁を介して、前記ポンプポートにおける２つのシャトル室のうち、前記チルトシリンダの第１室に接続されたシャトル室に接続されていることを特徴とする、請求項１から５の何れか１項に記載の端末装置。
【請求項７】
前記第２の油路は、前記切替弁を介して、前記チルトシリンダの第１室に接続されていることを特徴とする、請求項１から５の何れか１項に記載の端末装置。
【請求項８】
前記第２の油路において、前記切替弁と前記トリムシリンダとの間には保護バルブの一端が接続されていることを特徴とする請求項１から７の何れか１項に記載の端末装置。
【請求項９】
前記第２の油路は、前記切替弁を介して貯油タンクに接続されており、
前記第２の油路において、前記切替弁と貯油タンクとの間には保護バルブが設けられていることを特徴とする請求項１から５の何れか１項に記載の端末装置。
【請求項１０】
前記油圧源に接続された第１のポンプポート及び第２のポンプポートを更に備え、
前記第１のポンプポートは、前記チルトシリンダの前記第１室及び前記第２室に対して、それぞれチェック弁を介して接続された第２及び第１のシャトル室を有しており、
前記第２のポンプポートは、前記第１のポンプポートの前記第１のシャトル室に接続されたシャトル室を有しており、
前記第１の油路は、前記第２のポンプポートの前記シャトル室に対してチェック弁を介して接続されていることを特徴とする、請求項１から９の何れか１項に記載の端末装置。
【請求項１１】
船外機を昇降させる船外機昇降装置を遠隔制御するための端末装置であって、
前記船外機昇降装置は、
１又は複数のチルトシリンダと、
１又は複数のトリムシリンダと、
を備え、
前記各トリムシリンダは、
当該トリムシリンダを第１室と第２室とに仕切るピストンと、前記ピストンに接続され、当該トリムシリンダの第１室を貫通するロッドとを備え、
前記各チルトシリンダは、
当該チルトシリンダを第１室と第２室とに仕切るピストンと、前記ピストンに接続され、当該チルトシリンダの第１室を貫通するロッドとを備え、
前記船外機昇降装置は、
油圧源と、
前記油圧源と前記１又は複数のチルトシリンダの第２室とを接続する第１の油路と、
前記第１の油路と前記１又は複数のトリムシリンダの第２室とを接続する第２の油路と、
前記第２の油路上に設けられた切替弁とを備え、
当該端末装置は、
船体状態信号を参照して前記切替弁を制御する制御部を備え、
前記制御部は、
前記船体状態信号を参照して、航行状態及び停船状態を判定し、
前記航行状態と判定した場合に、前記切替弁をオープン状態となるように制御し、
前記停船状態と判定した場合に、前記切替弁がクローズ状態となるように制御する
ことを特徴とする端末装置。
【請求項１２】
前記船体状態信号は、前記船外機が備えるエンジンに接続されたジェネレータの出力電圧であり、
前記制御部は、前記ジェネレータの出力電圧が、電圧に関する第１閾値以上である場合に、前記航行状態と判定することを特徴とする請求項１から１１の何れか１項に記載の端末装置。
【請求項１３】
前記船体状態信号は、前記船外機が備えるエンジンに接続されたジェネレータの出力電圧であり、
前記制御部は、前記ジェネレータの出力電圧が、電圧に関する第２閾値を超える場合に、前記航行状態と判定することを特徴とする請求項１から１１の何れか１項に記載の端末装置。
【請求項１４】
前記船体状態信号は、前記船外機のエンジン回転数に関連する信号であり、
前記制御部は、前記エンジン回転数が、回転数に関する第１閾値以上である場合に、前記航行状態と判定することを特徴とする、請求項１から１１の何れか１項に記載の端末装置。
【請求項１５】
前記船体状態信号は、前記船外機のエンジン回転数に関連する信号であり、
前記制御部は、前記エンジン回転数が、回転数に関する第２閾値を超える場合に、前記航行状態と判定することを特徴とする、請求項１から１１の何れか１項に記載の端末装置。
【請求項１６】
前記船体状態信号は、アナログ信号であり、
前記制御部は、
前記船体状態信号が入力されるベース電極を有する第１のスイッチング素子と
前記第１のスイッチング素子のエミッタ電流に応じた信号が入力されるゲート電極、及び、前記切替弁に接続されたソース電極を有する第２のスイッチング素子とを備えていることを特徴とする請求項１から１５の何れか１項に記載の端末装置。
【請求項１７】
船外機を昇降させる船外機昇降装置と、端末装置とを含む船外機昇降システムであって、
前記船外機昇降装置は、
１又は複数のチルトシリンダと、
１又は複数のトリムシリンダと、
を備え、
前記各トリムシリンダは、
当該トリムシリンダを第１室と第２室とに仕切るピストンと、
前記ピストンに接続され、当該トリムシリンダの第１室を貫通するロッドとを備え、
前記各チルトシリンダは、    
当該チルトシリンダを第１室と第２室とに仕切るピストンと、
前記ピストンに接続され、当該チルトシリンダの第１室を貫通するロッドとを備え、
当該船外機昇降装置は、
油圧源と、
前記油圧源と、前記１又は複数のチルトシリンダの第２室と、前記１又は複数のトリムシリンダの第２室とを接続する第１の油路と、
前記１又は複数のトリムシリンダの少なくとも何れかの第１室に接続された第２の油路と、
前記第２の油路上に設けられた切替弁と、
を備え、
当該端末装置は、
船体状態信号を参照して前記切替弁を制御する制御部を備え、
前記制御部は、
前記船体状態信号を参照して、航行状態及び停船状態を判定し、
前記航行状態と判定した場合に、前記切替弁をオープン状態となるように制御し、
前記停船状態と判定した場合に、前記切替弁がクローズ状態となるように制御する
ことを特徴とする船外機昇降システム。
【請求項１８】
船外機を昇降させる船外機昇降装置と、端末装置とを含む船外機昇降システムであって、
前記船外機昇降装置は、
１又は複数のチルトシリンダと、
１又は複数のトリムシリンダと、
を備え、
前記各トリムシリンダは、
当該トリムシリンダを第１室と第２室とに仕切るピストンと、前記ピストンに接続され、当該トリムシリンダの第１室を貫通するロッドとを備え、
前記各チルトシリンダは、
当該チルトシリンダを第１室と第２室とに仕切るピストンと、前記ピストンに接続され、当該チルトシリンダの第１室を貫通するロッドとを備え、
前記船外機昇降装置は、
油圧源と、
前記油圧源と前記１又は複数のチルトシリンダの第２室とを接続する第１の油路と、
前記第１の油路と前記１又は複数のトリムシリンダの第２室とを接続する第２の油路と、
前記第２の油路上に設けられた切替弁とを備え、
当該端末装置は、
船体状態信号を参照して前記切替弁を制御する制御部を備え、
前記制御部は、
前記船体状態信号を参照して、航行状態及び停船状態を判定し、
前記航行状態と判定した場合に、前記切替弁をオープン状態となるように制御し、
前記停船状態と判定した場合に、前記切替弁がクローズ状態となるように制御する
ことを特徴とする船外機昇降システム。
【請求項１９】
前記制御部は、
前記船体状態信号を参照して、前記切替弁をオープン状態及びクローズ状態の何れにすべきかを決定する決定部を備え、
前記船外機昇降装置は、
前記決定部による決定結果に応じた制御信号であって、前記切替弁に供給される制御信号を生成する制御信号生成部を備えている請求項１７又は１８に記載の船外機昇降システム。
【請求項２０】
請求項１〜１１の何れか１項に記載の端末装置としてコンピュータを機能させるためのプログラムであって、
前記制御部としてコンピュータを機能させるためのプログラム。
【請求項２１】
請求項２０に記載のプログラムを記録したコンピュータ読み取り可能な記録媒体。